(57)【要約】  いくつかの実施形態によれば、無線デバイス（１１０）における方法が提供される。無線デバイスは、第１の無線アクセスノード（１６０）に現在接続され、無線デバイスが測定を実施することを開始するときを制御する、第１の無線アクセスノードによるｓ−ｍｅａｓｕｒｅが設定される。第１の無線アクセス技術（ＲＡＴ）上での測定を実施するように第１の無線アクセスノードによって設定されると、無線デバイスは、第１の無線アクセスノードのｓ−ｍｅａｓｕｒｅ基準が満たされるときに測定を実施することを開始する。第２のＲＡＴ上での測定を実施するように第１の無線アクセスノードによって設定されると、無線デバイスは、第１の無線アクセスノードのｓ−ｍｅａｓｕｒｅ基準が満たされるか否かにかかわらず、第２のＲＡＴ上での測定を実施することを開始する。【選択図】図８
2021505027.tif 000002
【特許請求の範囲】
【請求項１】
無線デバイス（１１０）における方法であって、前記無線デバイスは、第１の無線アクセスノード（１６０）に現在接続され、前記無線デバイスが測定を実施することを開始するときを制御する、前記第１の無線アクセスノードによるｓ−ｍｅａｓｕｒｅが設定され、前記方法は、
第１の無線アクセス技術（ＲＡＴ）上での測定を実施するように前記第１の無線アクセスノードによって設定されると、前記第１の無線アクセスノードのｓ−ｍｅａｓｕｒｅ基準が満たされるときに前記測定を実施することを開始することと、
第２のＲＡＴ上での測定を実施するように前記第１の無線アクセスノードによって設定されると、前記第１の無線アクセスノードのｓ−ｍｅａｓｕｒｅ基準が満たされるか否かにかかわらず、前記第２のＲＡＴ上での前記測定を実施することを開始することと
を含む、方法。
【請求項２】
前記無線デバイスが、前記第１のＲＡＴを用いる前記第１の無線アクセスノードと第２のＲＡＴを用いる第２の無線アクセスノード（１６０）との間のデュアルコネクティビティにおいて動作することが可能である、請求項１に記載の方法。
【請求項３】
前記第１のＲＡＴがＬＴＥであり、前記第２のＲＡＴがＮＲである、請求項１または２に記載の方法。
【請求項４】
前記第１のＲＡＴがＮＲであり、前記第２のＲＡＴがＬＴＥである、請求項１または２に記載の方法。
【請求項５】
前記無線デバイスが、第１のセルおよび０個またはそれ以上の２次セルにおいて前記第１の無線アクセスノードによってサーブされ、前記第１のセルが１次セル（Ｐｃｅｌｌ）を含み、
前記１次セル（Ｐｃｅｌｌ）のセル品質レベルが、前記第１の無線アクセスノードのｓ−ｍｅａｓｕｒｅ設定において示されたしきい値を下回るとき、前記第１の無線アクセスノードのｓ−ｍｅａｓｕｒｅ基準が満たされる、
請求項１から４のいずれか一項に記載の方法。
【請求項６】
前記無線デバイスがユーザ機器（ＵＥ）２００である、請求項１から５のいずれか一項に記載の方法。
【請求項７】
第１の無線アクセス技術（ＲＡＴ）を用いる第１の無線アクセスノード（１６０）と第２のＲＡＴを用いる第２の無線アクセスノード（１６０）との間のデュアルコネクティビティにおいて動作する無線デバイス（１１０）における方法であって、前記無線デバイスは、前記第１の無線アクセスノードと前記第２の無線アクセスノードの両方に現在接続され、前記第１の無線アクセスノードからの第１のｓ−ｍｅａｓｕｒｅと、前記第２の無線アクセスノードからの第２のｓ−ｍｅａｓｕｒｅとが設定され、前記方法は、
前記第１のＲＡＴ上での測定を実施するように前記第１の無線アクセスノードによって設定されると、前記第１の無線アクセスノードのｓ−ｍｅａｓｕｒｅ基準が満たされるときに前記測定を実施することを開始することと、
前記第２のＲＡＴ上での測定を実施するように前記第１の無線アクセスノードによって設定されると、前記第１の無線アクセスノードのｓ−ｍｅａｓｕｒｅ基準が満たされるか否かにかかわらず、前記第２のＲＡＴ上での前記測定を実施することを開始することと
を含む、方法。
【請求項８】
前記第２のＲＡＴ上での測定を実施するように前記第２の無線アクセスノードによって設定されると、前記第２の無線アクセスノードのｓ−ｍｅａｓｕｒｅ基準が満たされるときに前記測定を実施することを開始することと、
前記第１のＲＡＴ上での測定を実施するように前記第２の無線アクセスノードによって設定されると、前記第２の無線アクセスノードのｓ−ｍｅａｓｕｒｅ基準が満たされるか否かにかかわらず、前記第１のＲＡＴ上での前記測定を実施することを開始することと
をさらに含む、請求項７に記載の方法。
【請求項９】
前記第１のＲＡＴがＬＴＥであり、前記第２のＲＡＴがＮＲである、請求項７または８に記載の方法。
【請求項１０】
前記第１のＲＡＴがＮＲであり、前記第２のＲＡＴがＬＴＥである、請求項７または８に記載の方法。
【請求項１１】
前記無線デバイスが、第１のセルおよび０個またはそれ以上の２次セルにおいて前記第１の無線アクセスノードによってサーブされ、前記第１のセルが１次セル（Ｐｃｅｌｌ）を含み、
前記無線デバイスが、第２のセルおよび０個またはそれ以上の２次セルにおいて前記第２の無線アクセスノードによってサーブされ、前記第２のセルが１次２次セル（ＰＳＣｅｌｌ）を含み、
前記ＰＣｅｌｌのセル品質レベルが、前記第１の無線アクセスノードのｓ−ｍｅａｓｕｒｅ設定において示されたしきい値を下回るとき、前記第１の無線アクセスノードのｓ−ｍｅａｓｕｒｅ基準が満たされ、
前記１次２次セル（ＰＳＣｅｌｌ）のセル品質レベルが、前記第２の無線アクセスノードのｓ−ｍｅａｓｕｒｅ設定において示されたしきい値を下回るとき、前記第２の無線アクセスノードのｓ−ｍｅａｓｕｒｅ基準が満たされる、
請求項７から１０のいずれか一項に記載の方法。
【請求項１２】
前記無線デバイスがユーザ機器（ＵＥ）（２００）である、請求項７から１１のいずれか一項に記載の方法。
【請求項１３】
無線デバイス（１１０）であって、前記無線デバイスは、第１の無線アクセスノードに現在接続され、かつ、前記無線デバイスが測定を実施することを開始するときを制御する前記第１の無線アクセスノードによって、少なくとも１つのｓ−ｍｅａｓｕｒｅが設定され、前記無線デバイスは、
第１の無線アクセス技術（ＲＡＴ）上での測定を実施するように前記第１の無線アクセスノードによって設定されると、前記第１の無線アクセスノードのｓ−ｍｅａｓｕｒｅ基準が満たされるときに前記測定を実施することを開始することと、
第２のＲＡＴ上での測定を実施するように前記第１の無線アクセスノードによって設定されると、前記第１の無線アクセスノードのｓ−ｍｅａｓｕｒｅ基準が満たされるか否かにかかわらず、前記第２のＲＡＴ上での前記測定を実施することを開始することと
を行うように動作可能な処理回路要素（１２０）と、
前記無線デバイスに電力を供給するように設定された電力供給回路要素（１１７）と
を含む、無線デバイス（１１０）。
【請求項１４】
前記無線デバイスが、前記第１のＲＡＴを用いる前記第１の無線アクセスノードと第２のＲＡＴを用いる第２の無線アクセスノード（１６０）との間のデュアルコネクティビティにおいて動作することが可能である、請求項１３に記載の無線デバイス。
【請求項１５】
前記第１のＲＡＴがＬＴＥであり、前記第２のＲＡＴがＮＲである、請求項１３または１４に記載の無線デバイス。
【請求項１６】
前記第１のＲＡＴがＮＲであり、前記第２のＲＡＴがＬＴＥである、請求項１３または１４に記載の無線デバイス。
【請求項１７】
前記無線デバイスが、第１のセルおよび０個またはそれ以上の２次セルにおいて前記第１の無線アクセスノードによってサーブされ、前記第１のセルが１次セル（ＰＣｅｌｌ）を含み、
前記ＰＣｅｌｌのセル品質レベルが、前記第１の無線アクセスノードのｓ−ｍｅａｓｕｒｅ設定において示されたしきい値を下回るとき、前記第１の無線アクセスノードのｓ−ｍｅａｓｕｒｅ基準が満たされる、
請求項１３から１６のいずれか一項に記載の無線デバイス。
【請求項１８】
前記無線デバイスがユーザ機器（ＵＥ）２００である、請求項１３から１７のいずれか一項に記載の無線デバイス。
【請求項１９】
第１の無線アクセス技術（ＲＡＴ）を用いる第１の無線アクセスノード（１６０）と第２のＲＡＴを用いる第２の無線アクセスノード（１６０）との間のデュアルコネクティビティにおいて動作する無線デバイス（１１０）であって、前記無線デバイスは、前記第１の無線アクセスノードと前記第２の無線アクセスノードの両方に現在接続され、前記第１の無線アクセスノードからの第１のｓ−ｍｅａｓｕｒｅと、前記第２の無線アクセスノードからの第２のｓ−ｍｅａｓｕｒｅとが設定され、前記無線デバイスは、
前記第１のＲＡＴ上での測定を実施するように前記第１の無線アクセスノードによって設定されると、前記第１の無線アクセスノードのｓ−ｍｅａｓｕｒｅ基準が満たされるときに前記測定を実施することを開始することと、
前記第２のＲＡＴ上での測定を実施するように前記第１の無線アクセスノードによって設定されると、前記第１の無線アクセスノードのｓ−ｍｅａｓｕｒｅ基準が満たされるか否かにかかわらず、前記第２のＲＡＴ上での前記測定を実施することを開始することと
を行うように動作可能な処理回路要素（１２０）と、
前記無線デバイスに電力を供給するように設定された電力供給回路要素（１１７）と
を含む、無線デバイス（１１０）。
【請求項２０】
前記処理回路要素は、
前記第２のＲＡＴ上での測定を実施するように前記第２の無線アクセスノードによって設定されると、前記第２の無線アクセスノードのｓ−ｍｅａｓｕｒｅ基準が満たされるときに前記測定を実施することを開始することと、
前記第１のＲＡＴ上での測定を実施するように前記第２の無線アクセスノードによって設定されると、前記第２の無線アクセスノードのｓ−ｍｅａｓｕｒｅ基準が満たされるか否かにかかわらず、前記第１のＲＡＴ上での前記測定を実施することを開始することと
を行うように動作可能である、請求項１９に記載の無線デバイス。
【請求項２１】
前記第１のＲＡＴがＬＴＥであり、前記第２のＲＡＴがＮＲである、請求項１９または２０に記載の無線デバイス。
【請求項２２】
前記第１のＲＡＴがＮＲであり、前記第２のＲＡＴがＬＴＥである、請求項１９または２０に記載の無線デバイス。
【請求項２３】
前記無線デバイスが、第１のセルおよび０個またはそれ以上の２次セルにおいて前記第１の無線アクセスノードによってサーブされ、前記第１のセルが１次セル（ＰＣｅｌｌ）を含み、
前記無線デバイスが、第２のセルおよび０個またはそれ以上の２次セルにおいて前記第２の無線アクセスノードによってサーブされ、前記第２のセルが１次２次セル（ＰＳＣｅｌｌ）を含み、
前記ＰＣｅｌｌのセル品質レベルが、前記第１の無線アクセスノードのｓ−ｍｅａｓｕｒｅ設定において示されたしきい値を下回るとき、前記第１の無線アクセスノードのｓ−ｍｅａｓｕｒｅ基準が満たされ、
前記ＰＳＣｅｌｌのセル品質レベルが、前記第２の無線アクセスノードのｓ−ｍｅａｓｕｒｅ設定において示されたしきい値を下回るとき、前記第２の無線アクセスノードのｓ−ｍｅａｓｕｒｅ基準が満たされる、
請求項１９から２２のいずれか一項に記載の無線デバイス。
【請求項２４】
前記無線デバイスがユーザ機器（ＵＥ）（２００）である、請求項１９から２３のいずれか一項に記載の無線デバイス。
【請求項２５】
ＬＴＥ−ＮＲインターワーキングにおける測定をトリガするためのシステムであって、前記システムは、
第１の無線アクセス技術（ＲＡＴ）を用いる第１の無線アクセスノード（１６０）と、
第２のＲＡＴを用いる第２の無線アクセスノード（１６０）と、
無線デバイス（１１０）であって、前記無線デバイスは、前記第１の無線アクセスノードに現在接続され、前記無線デバイスが測定を実施することを開始するときを制御する、前記第１の無線アクセスノードによるｓ−ｍｅａｓｕｒｅが設定された、無線デバイス（１１０）と
を含み、
前記無線デバイスが、前記第１の無線アクセスノードによって設定されると、前記第１のＲＡＴ上での測定を実施するように設定され、前記無線デバイスは、前記第１の無線アクセスノードのｓ−ｍｅａｓｕｒｅ基準が満たされるときに前記測定を実施することを開始し、
前記無線デバイスが、前記第１の無線アクセスノードによって設定されると、前記第２のＲＡＴ上での測定を実施するようにさらに設定され、前記無線デバイスは、前記第１のＲＡＴに関連付けられたｓ−ｍｅａｓｕｒｅ基準が満たされるか否かにかかわらず、前記第２のＲＡＴ上での前記測定を実施することを開始する、
システム。
【発明の詳細な説明】
【背景技術】
【０００１】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００２】
ＬＴＥでは、ＵＥのためのネイバーセル測定オーバーヘッドを低減するために、ｓ−Ｍｅａｓｕｒｅの概念が使用される。ＵＥによって実施されるＰＣｅｌｌ測定が、このネットワーク設定されたｓ−Ｍｅａｓｕｒｅ値を上回るとき、ＵＥは、ネイバリングセル測定を実施することを控える。
【０００３】
現在の仕様ＴＳ３６．３３１、すなわち、ＬＴＥによれば、Ｅ−ＵＴＲＡＮが測定を設定するとき、ＩＥ  ＭｅａｓＣｏｎｆｉｇは、ＵＥによって実施されるべき測定を指定する。そのＩＥは、以下の定義をもつ「ｓ−Ｍｅａｓｕｒｅ」パラメータを含む。「ＵＥが周波数内ネイバリングセル、周波数間ネイバリングセルおよびＲＡＴ間ネイバリングセルの測定を実施することを必要とされるか否かを制御するＰＣｅｌｌ品質しきい値。値「０」がｓ−Ｍｅａｓｕｒｅを無効にすることを示す。」
【０００４】
Ｅ−ＵＴＲＡ仕様では、ｓ−Ｍｅａｓｕｒｅに関係するＵＥアクションに関しては、以下のプロシージャテキストが存在する。
５．５．２  測定設定
．．．
１＞  受信されたｍｅａｓＣｏｎｆｉｇがｓ−Ｍｅａｓｕｒｅを含む場合、
２＞  ＶａｒＭｅａｓＣｏｎｆｉｇ内のパラメータｓ−Ｍｅａｓｕｒｅを、ｓ−Ｍｅａｓｕｒｅの受信された値によって示されるＲＳＲＰ範囲の最も低い値にセットする。
．．．
５．５．３  測定を実施すること
ＵＥは、以下を行うものとする。
．．．
１＞  ＶａｒＭｅａｓＣｏｎｆｉｇ内のｍｅａｓＩｄＬｉｓｔ中に含まれる各ｍｅａｓＩｄについて、
２＞  関連付けられたｒｅｐｏｒｔＣｏｎｆｉｇの目的がｒｅｐｏｒｔＣＧＩにセットされた場合、
．．．
２＞  ｕｌ−ＤｅｌａｙＣｏｎｆｉｇが、関連付けられたｒｅｐｏｒｔＣｏｎｆｉｇのために設定された場合、
．．．
２＞  他の場合、
３＞  測定ギャップ設定がセットアップされた場合、あるいは
３＞  ＵＥが、当該の測定を実施するための測定ギャップを必要としない場合、
４＞  ｓ−Ｍｅａｓｕｒｅが設定されない場合、または
４＞  ｓ−Ｍｅａｓｕｒｅが設定され、レイヤ３フィルタ処理の後のＰＣｅｌｌ  ＲＳＲＰがこの値よりも低い場合、または
．．．
４＞  ｕｅ−ＲｘＴｘＴｉｍｅＤｉｆｆＰｅｒｉｏｄｉｃａｌが、関連付けられたｒｅｐｏｒｔＣｏｎｆｉｇにおいて設定された場合、
５＞  ＰＣｅｌｌ上でＵＥ  ＲｘーＴｘ時間差測定を実施する。
４＞  ｒｅｐｏｒｔＳＳＴＤ−Ｍｅａｓが、関連付けられたｒｅｐｏｒｔＣｏｎｆｉｇにおいて真にセットされた場合、
５＞  ＰＣｅｌｌとＰＳＣｅｌｌとの間のＳＳＴＤ測定を実施する。
４＞  ｍｅａｓＲＳＳＩ−ＲｅｐｏｒｔＣｏｎｆｉｇが、関連付けられたｒｅｐｏｒｔＣｏｎｆｉｇにおいて設定された場合、
５＞  関連付けられたｍｅａｓＯｂｊｅｃｔにおいて示される周波数上でＲＳＳＩおよびチャネル占有測定を実施する。
２＞  ５．５．４において指定されているように報告基準の評価を実施する
【０００５】
ＬＴＥ−ＮＲインターワーキングでは、ＵＥに、２つのｓ−ｍｅａｓｕｒｅ値、すなわち、ＭＮ（ＬＴＥ）からのｍｅａｓＣｏｎｆｉｇに関連付けられたｓ−ｍｅａｓｕｒｅ値と、ＳＮ（ＮＲ）からのｍｅａｓＣｏｎｆｉｇからの別のｓ−ｍｅａｓｕｒｅ値とが設定されることになることが同意された。
【０００６】
現在、（１つまたは複数の）ある課題が存在する。たとえば、これらの２つの異なるｓ−ｍｅａｓｕｒｅに関するＵＥの挙動は、まだ同意されていない。（上記で説明された）ＬＴＥのために指定される挙動の簡単な採用は、以下の通りである。
−  ＵＥは、ＰＣｅｌｌ品質が、ＭＮに関連付けられたｓ−ｍｅａｓｕｒｅによって指定された品質を下回るまで、周波数内ＬＴＥ測定であろうと、周波数間ＬＴＥ測定であろうと、またはＲＡＴ間測定であろうと、ＭＮによって設定された測定を測定することを開始しないことになる。
−  同様に、ＵＥは、ＰＳＣｅｌｌ品質が、ＳＮに関連付けられたｓ−ｍｅａｓｕｒｅによって指定された品質を下回るまで、周波数内ＮＲ測定であろうと、周波数間ＮＲ測定であろうと、またはＲＡＴ間測定であろうと、ＳＮによって設定された測定を測定することを開始しないことになる。
【０００７】
したがって、ＬＴＥ−ＮＲインターワーキングへの、ＬＴＥにおけるｓ−ｍｅａｓｕｒｅに関するＵＥの挙動の採用により、ＵＥは、独立して２つのｓ−ｍｅａｓｕｒｅを扱い、また、それらのｓ−ｍｅａｓｕｒｅを、当該のｓ−ｍｅａｓｕｒｅを設定したのと同じノードによって設定された測定にのみ関連付けることになる。これは、ＬＴＥ無線状態が極めて良好である場合（すなわち、ＰＣｅｌｌ  ＲＳＲＰ＞Ｓ−ｍｅａｓｕｒｅ）、ＵＥは、ＭＮによって設定された測定を、これらの測定がＮＲ周波数に関係していたとしても、実施しないことを意味する。
【０００８】
この手法の不利な面が、以下でこれらの２つのシナリオ、
−  ＳＮは、ＳＮが過負荷であることをＭＮに通信し、ＭＮは、ＭＮがそのＳＮの変更先にすることを希望するＳＮを見つけるために、ＮＲ周波数上の測定対象を設定し、その測定対象にＢ１イベント（すなわち、しきい値よりも良好なＲＡＴ内ネイバー）を関連付ける。
−  ＭＮは、ＬＴＥネットワークにおける負荷状態により、ＮＲへのＲＡＴ間ハンドオーバを実施することを希望する（また、スタンドアロンＮＲを仮定する）。
とともに示され得る。ＭＮは、ＭＮがＵＥのハンドオーバ先にすることができるｇＮＢを見つけるために、ＮＲ周波数上の測定対象を設定し、その測定対象にＢ１イベントを関連付ける。
【０００９】
どちらの場合も、ＬＴＥへのＵＥの接続が無線観点から良好である場合（すなわち、ＰＣｅｌｌ  ＲＳＲＰ＞＞Ｓ−ｍｅａｓｕｒｅ＿ＬＴＥ）、ＵＥは、測定対象において指定されたＮＲ周波数上で測定を実施することを開始しないことになり、このため、Ｂ１イベントはトリガされないことになる。したがって、ＭＮは、ＳＮ変更またはＲＡＴ間ＨＯを実施するためにターゲットｇＮＢを識別するために必要とされる測定結果を得ないことになる。
【発明の概要】
【００１０】
本開示のいくつかの態様およびそれらの実施形態は、これらまたは他の課題のソリューションを提供し得る。特に、いくつかの実施形態は、ＵＥは、２つのＲＡＴ（たとえば、ＬＴＥおよびＮＲ）間のデュアルコネクティビティモードにおいて動作し得るか、またはすでに動作しており、ＵＥが、各ＲＡＴからの２つのｓ−ｍｅａｓｕｒｅが設定される、デュアルコネクティビティ（ＤＣ）シナリオに関係する。
【００１１】
いくつかの実施形態によれば、無線デバイスにおける方法が提供される。無線デバイスは、第１の無線アクセスノードに現在接続され、無線デバイスが測定を実施することを開始するときを制御する、第１の無線アクセスノードによるｓ−ｍｅａｓｕｒｅが設定される。第１の無線アクセス技術（ＲＡＴ）上での測定を実施するように第１の無線アクセスノードによって設定されると、無線デバイスは、第１の無線アクセスノードのｓ−ｍｅａｓｕｒｅ基準が満たされるときに測定を実施することを開始する。第２のＲＡＴ上での測定を実施するように第１の無線アクセスノードによって設定されると、無線デバイスは、第１の無線アクセスノードのｓ−ｍｅａｓｕｒｅ基準が満たされるか否かにかかわらず、第２のＲＡＴ上での測定を実施することを開始する。
【００１２】
いくつかの実施形態によれば、無線デバイスにおける方法が提供される。無線デバイスは、第１の無線アクセス技術（ＲＡＴ）を用いる第１の無線アクセスノードと第２のＲＡＴを用いる第２の無線アクセスノードとの間のデュアルコネクティビティにおいて動作している。無線デバイスは、第１の無線アクセスノードと第２の無線アクセスノードの両方に現在接続され、第１の無線アクセスノードからの第１のｓ−ｍｅａｓｕｒｅと、第２の無線アクセスノードからの第２のｓ−ｍｅａｓｕｒｅとが設定される。第１のＲＡＴ上での測定を実施するように第１の無線アクセスノードによって設定されると、無線デバイスは、第１の無線アクセスノードのｓ−ｍｅａｓｕｒｅ基準が満たされるときに測定を実施することを開始する。第２のＲＡＴ上での測定を実施するように第１の無線アクセスノードによって設定されると、無線デバイスは、第１の無線アクセスノードのｓ−ｍｅａｓｕｒｅ基準が満たされるか否かにかかわらず、第２のＲＡＴ上での測定を実施することを開始する。
【００１３】
いくつかの実施形態によれば、無線デバイスは、第１の無線アクセスノードに現在接続され、無線デバイスが測定を実施することを開始するときを制御する、第１の無線アクセスノードによる少なくとも１つのｓ−ｍｅａｓｕｒｅが設定され、無線デバイスは、処理回路要素と、無線デバイスに電力を供給するように設定された電力供給回路要素とを含む。第１の無線アクセス技術（ＲＡＴ）上での測定を実施するように第１の無線アクセスノードによって設定されると、処理回路要素は、第１の無線アクセスノードのｓ−ｍｅａｓｕｒｅ基準が満たされるときに測定を実施することを開始するように動作可能である。第２のＲＡＴ上での測定を実施するように第１の無線アクセスノードによって設定されると、処理回路要素は、第１の無線アクセスノードのｓ−ｍｅａｓｕｒｅ基準が満たされるか否かにかかわらず、第２のＲＡＴ上での測定を実施することを開始するように動作可能である。
【００１４】
いくつかの実施形態によれば、無線デバイスは、第１の無線アクセス技術（ＲＡＴ）を用いる第１の無線アクセスノードと第２のＲＡＴを用いる第２の無線アクセスノードとの間のデュアルコネクティビティにおいて動作する。無線デバイスは、第１の無線アクセスノードと第２の無線アクセスノードの両方に現在接続され、第１の無線アクセスノードからの第１のｓ−ｍｅａｓｕｒｅと、第２の無線アクセスノードからの第２のｓ−ｍｅａｓｕｒｅとが設定され、無線デバイスは、処理回路要素と、無線デバイスに電力を供給するように設定された電力供給回路要素とを含む。第１のＲＡＴ上での測定を実施するように第１の無線アクセスノードによって設定されると、無線デバイスは、第１の無線アクセスノードのｓ−ｍｅａｓｕｒｅ基準が満たされるときに測定を実施することを開始する。第２のＲＡＴ上での測定を実施するように第１の無線アクセスノードによって設定されると、無線デバイスは、第１の無線アクセスノードのｓ−ｍｅａｓｕｒｅ基準が満たされるか否かにかかわらず、第２のＲＡＴ上での測定を実施することを開始する。
【００１５】
いくつかの実施形態によれば、ＬＴＥ−ＮＲインターワーキングにおける測定をトリガするためのシステムが提供される。本システムは、第１のＲＡＴを用いる第１の無線アクセスノードと、第２のＲＡＴを用いる第２の無線アクセスノードと、第１の無線アクセスノードに現在接続された無線デバイスとを含む。無線デバイスは、無線デバイスが測定を実施することを開始するときを制御する、第１の無線アクセスノードによるｓ−ｍｅａｓｕｒｅが設定される。無線デバイスはまた、第１の無線アクセスノードによって設定されると、第１のＲＡＴ上での測定を実施するように設定され、その結果、無線デバイスは、第１の無線アクセスノードのｓ−ｍｅａｓｕｒｅ基準が満たされるときに測定を実施することを開始する。無線デバイスは、第１の無線アクセスノードによって設定されると、第２のＲＡＴ上での測定を実施するようにさらに設定され、その結果、無線デバイスは、第１のＲＡＴに関連付けられたｓ−ｍｅａｓｕｒｅ基準が満たされるか否かにかかわらず、第２のＲＡＴ上での測定を実施することを開始する。
【００１６】
いくつかの実施形態は、（１つまたは複数の）以下の技術的利点のうちの１つまたは複数を提供し得る。たとえば、技術的利点は、いくつかの実施形態が、ネットワークが、場合によっては、ＲＳタイプごとのｓ−Ｍｅａｓｕｒｅしきい値、ＲＳタイプごとに設定可能な単一のｓ−Ｍｅａｓｕｒｅしきい値または複数のｓ−Ｍｅａｓｕｒｅしきい値（すなわち、ＲＳタイプごとのｓ−Ｍｅａｓｕｒｅしきい値）のいずれか、でＵＥを設定することを可能にすることであり得る。さらに、技術的利点は、ネットワークが、測定量（たとえば、ＲＳＲＰ、ＲＳＲＱ、ＳＩＮＲなど）ごとのｓ−Ｍｅａｓｕｒｅしきい値、量ごとに設定可能な単一のｓ−Ｍｅａｓｕｒｅしきい値または複数のｓ−Ｍｅａｓｕｒｅしきい値（すなわち、量ごとのｓ−Ｍｅａｓｕｒｅしきい値）のいずれか、でＵＥを設定し得ることであり得る。
【００１７】
開示される実施形態ならびにそれらの特徴および利点のより完全な理解のために、次に、添付の図面とともに、以下の説明が参照される。
【図面の簡単な説明】
【００１８】
【図１】いくつかの実施形態による、無線ネットワークを示す図である。
【図２】いくつかの実施形態による、例示的なネットワークノードを示す図である。
【図３】いくつかの実施形態による、例示的な無線デバイスを示す図である。
【図４】いくつかの実施形態による、例示的なユーザ機器（ＵＥ）を示す図である。
【図５】いくつかの実施形態による、いくつかの実施形態によって実装される機能が仮想化され得る例示的な仮想化環境を示す図である。
【図６】いくつかの実施形態による、中間ネットワークを介してホストコンピュータに接続された例示的な通信ネットワークを示す図である。
【図７】いくつかの実施形態による、部分的無線接続上で基地局を介してユーザ機器と通信する例示的なホストコンピュータを示す図である。
【図８】いくつかの実施形態による、無線デバイスによる例示的な方法を示す図である。
【図９】いくつかの実施形態による、例示的な仮想コンピューティングデバイスを示す図である。
【発明を実施するための形態】
【００１９】
本開示のいくつかの態様およびそれらの実施形態は、本明細書で開示される問題のうちの１つまたは複数に対処するソリューションを提供し得る。たとえば、いくつかの実施形態によれば、２つの無線アクセス技術（ＲＡＴ）間のデュアルコネクティビティ（ＤＣ）モードにおいて動作しているかまたは動作することが可能であるＵＥに、各ＲＡＴのためのｓ−ｍｅａｓｕｒｅ設定が設定され得る。
【００２０】
いくつかの実施形態は、２つのシナリオに従って動作する。
−  ＤＣがセットアップされる前：第１のＲＡＴのみ（たとえば、ＬＴＥ）に接続されたＵＥに、別のＲＡＴ（たとえば、ＮＲ）に関する測定設定が設定されたとき、ＵＥは、第１のＲＡＴのｓ−ｍｅａｓｕｒｅ基準が満たされるか否かにかかわらず、測定を実施することを開始する。
−  ＤＣがセットアップされた後：
○  オプション１：ＤＣがセットアップされる前と同じ挙動が適用される（すなわち、第１のＲＡＴが第２のＲＡＴに関する測定を設定する場合、ＵＥは、第１のＲＡＴのｓ−ｍｅａｓｕｒｅ基準が満たされるか否かにかかわらず、測定を実施する）
○  オプション２：第２のＲＡＴによって設定されたｓ−ｍｅａｓｕｒｅが、第２のＲＡＴに関係している第１のＲＡＴによって設定された測定のトリガリングを制御するために使用される（すなわち、ＵＥは、ＳＮのｓ−ｍｅａｓｕｒｅ基準が満たされるとき、第２のＲＡＴに関係する測定を、それらの測定が第１のＲＡＴによって設定されたのか、第２のＲＡＴによって設定されたのかにかかわらず、実施することを開始する）。
【００２１】
特定の実施形態では、第１のＲＡＴはＬＴＥであり得、第２のＲＡＴはＮＲであり得る。別の特定の実施形態では、第１のＲＡＴはＮＲであり得、第２のＲＡＴはＬＴＥであり得る。
【００２２】
いくつかの実施形態によれば、方法は、ＤＣがセットアップされる前に実施され得る。たとえば、特定の実施形態では、第１のＲＡＴを用いる第１の無線アクセスノードと第２のＲＡＴを用いる第２の無線アクセスノードとの間のデュアルコネクティビティにおいて動作することが可能な、および第１のノードに現在接続されたユーザ機器（ＵＥ）における方法は、ユーザ機器が測定を実施することを開始するときを制御する、第１のノードによるｓ−ｍｅａｓｕｒｅが設定され得る。第２のＲＡＴ上での測定を実施するように第１のノードによって設定されると、方法は、第１のノードのｓ−ｍｅａｓｕｒｅ基準が満たされるか否かにかかわらず、第２のＲＡＴ上での測定を実施することを開始することを含み得る。
【００２３】
いくつかの実施形態によれば、方法は、ＤＣがセットアップされた後に実施され得る。たとえば、特定の実施形態では、方法は、第１のＲＡＴを用いる第１の無線アクセスノードと第２のＲＡＴを用いる第２の無線アクセスノードとの間のデュアルコネクティビティにおいて動作するＵＥにおいて実施され得、ＵＥは、第１のノードと第２のノードの両方に現在接続され、第１のノードからのｓ−ｍｅａｓｕｒｅと第２のノードからの別のｓ−ｍｅａｓｕｒｅとが設定される。第２のノードのｓ−ｍｅａｓｕｒｅ基準を満たすと、方法は、第２のＲＡＴ上で設定されたすべての測定についての測定を、これらの測定が、第１のノードによって設定されたのか、第２のノードによって設定されたのかにかかわらず、実施することを開始することを含み得る。
【００２４】
いくつかの他の実施形態によれば、方法は、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作するＵＥにおいて実施され得、ＵＥは、第１のノードと第２のノードの両方に現在接続され、第１のノードからのｓ−ｍｅａｓｕｒｅと第２のノードからの別のｓ−ｍｅａｓｕｒｅとが設定される。方法は、ＵＥによって、２つの異なるＲＡＴ間のデュアルコネクティビティ中の挙動をハンドリングするｓ−ｍｅａｓｕｒｅを指定するパラメータ（たとえば、ｉｎｔｅｒ−ＲＡＴ−ｓＭｅａｓｕｒｅＡｃｔｉｖａｔｅ）を維持することを含み得る。ｉｎｔｅｒ−ＲＡＴ−ｓＭｅａｓｕｒｅＡｃｔｉｖａｔｅパラメータが真にセットされた場合、第２のＲＡＴのｓ−ｍｅａｓｕｒｅ基準を満たすと、ＵＥは、第１のノードによって設定された第２のＲＡＴ上での測定を実施することを開始し得る。
【００２５】
上記で企図された実施形態は、添付の図面を参照しながら以下で説明される実施形態内に実装され得る。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２６】
図１は、いくつかの実施形態による、無線ネットワークを示す。本明細書で説明される主題は、任意の好適な構成要素を使用する任意の適切なタイプのシステムにおいて実装され得るが、本明細書で開示される実施形態は、図１に示されている例示的な無線ネットワークなどの無線ネットワークに関して説明される。簡単のために、図１の無線ネットワークは、ネットワーク１０６、ネットワークノード１６０および１６０ｂ、ならびにＷＤ１１０、１１０ｂ、および１１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１６０および無線デバイス（ＷＤ）１１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００２７】
無線ネットワークは、任意のタイプの通信、遠距離通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００２８】
ネットワーク１０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを含み得る。
【００２９】
ネットワークノード１６０およびＷＤ１１０は、以下でより詳細に説明される様々な構成要素を含む。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを含み得る。
【００３０】
図２は、いくつかの実施形態による、例示的なネットワークノード１６０を示す。  本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、およびエボルブドノードＢ（ｅＮＢ））ｇＮＢを含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００３１】
図２では、ネットワークノード１６０は、処理回路要素１７０と、デバイス可読媒体１８０と、インターフェース１９０と、補助機器１８４と、電源１８６と、電力回路要素１８７と、アンテナ１６２とを含む。図１の例示的な無線ネットワーク中に示されているネットワークノード１６０は、ハードウェア構成要素の示されている組合せを含むデバイスを表し得るが、他の実施形態は、構成要素の異なる組合せをもつネットワークノードを含み得る。ネットワークノードが、本明細書で開示されるタスク、特徴、機能および方法を実施するために必要とされるハードウェアおよび／またはソフトウェアの任意の好適な組合せを含むことを理解されたい。その上、ネットワークノード１６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を含み得る（たとえば、デバイス可読媒体１８０は、複数の別個のハードドライブならびに複数のＲＡＭモジュールを含み得る）。
【００３２】
同様に、ネットワークノード１６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１６０が複数の別個の構成要素（たとえば、ＢＴＳ構成要素およびＢＳＣ構成要素）を含むいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１８０）、いくつかの構成要素は再利用され得る（たとえば、同じアンテナ１６２がＲＡＴによって共有され得る）。ネットワークノード１６０は、ネットワークノード１６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１６０内の他の構成要素に統合され得る。
【００３３】
処理回路要素１７０は、ネットワークノードによって提供されるものとして本明細書で説明される、任意の決定動作、計算動作、または同様の動作（たとえば、いくつかの取得動作）を実施するように設定される。処理回路要素１７０によって実施されるこれらの動作は、処理回路要素１７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００３４】
処理回路要素１７０は、単体で、またはデバイス可読媒体１８０などの他のネットワークノード１６０構成要素と併せてのいずれかで、ネットワークノード１６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを含み得る。たとえば、処理回路要素１７０は、デバイス可読媒体１８０に記憶された命令、または処理回路要素１７０内のメモリに記憶された命令を実行し得る。そのような機能性は、本明細書で説明される様々な無線特徴、機能、または利益のうちのいずれかを提供することを含み得る。いくつかの実施形態では、処理回路要素１７０は、システムオンチップ（ＳＯＣ）を含み得る。
【００３５】
いくつかの実施形態では、処理回路要素１７０は、無線周波数（ＲＦ）トランシーバ回路要素１７２とベースバンド処理回路要素１７４とのうちの１つまたは複数を含み得る。いくつかの実施形態では、無線周波数（ＲＦ）トランシーバ回路要素１７２とベースバンド処理回路要素１７４とは、別個のチップ（またはチップのセット）、ボード、または無線ユニットおよびデジタルユニットなどのユニット上にあり得る。代替実施形態では、ＲＦトランシーバ回路要素１７２とベースバンド処理回路要素１７４との一部または全部は、同じチップまたはチップのセット、ボード、あるいはユニット上にあり得る。
【００３６】
いくつかの実施形態では、ネットワークノード、基地局、ｅＮＢまたは他のそのようなネットワークデバイスによって提供されるものとして本明細書で説明される機能性の一部または全部は、デバイス可読媒体１８０、または処理回路要素１７０内のメモリに記憶された、命令を実行する処理回路要素１７０によって実施され得る。代替実施形態では、機能性の一部または全部は、ハードワイヤード様式などで、別個のまたは個別のデバイス可読媒体に記憶された命令を実行することなしに、処理回路要素１７０によって提供され得る。それらの実施形態のいずれでも、デバイス可読記憶媒体に記憶された命令を実行するか否かにかかわらず、処理回路要素１７０は、説明される機能性を実施するように設定され得る。そのような機能性によって提供される利益は、処理回路要素１７０単独に、またはネットワークノード１６０の他の構成要素に限定されないが、全体としてネットワークノード１６０によって、ならびに／または概してエンドユーザおよび無線ネットワークによって、享受される。
【００３７】
デバイス可読媒体１８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１７０によって使用され得る情報、データ、および／または命令を記憶する、任意の他の揮発性または不揮発性、非一時的デバイス可読および／またはコンピュータ実行可能メモリデバイスを含み得る。デバイス可読媒体１８０は、コンピュータプログラム、ソフトウェア、論理、ルール、コード、テーブルなどのうちの１つまたは複数を含むアプリケーション、および／または処理回路要素１７０によって実行されることが可能であり、ネットワークノード１６０によって利用される、他の命令を含む、任意の好適な命令、データまたは情報を記憶し得る。デバイス可読媒体１８０は、処理回路要素１７０によって行われた計算および／またはインターフェース１９０を介して受信されたデータを記憶するために使用され得る。いくつかの実施形態では、処理回路要素１７０およびデバイス可読媒体１８０は、統合されていると見なされ得る。
【００３８】
インターフェース１９０は、ネットワークノード１６０、ネットワーク１０６、および／またはＷＤ１１０の間のシグナリングおよび／またはデータの有線または無線通信において使用される。示されているように、インターフェース１９０は、たとえば有線接続上でネットワーク１０６との間でデータを送るおよび受信するための（１つまたは複数の）ポート／（１つまたは複数の）端末１９４を含む。インターフェース１９０は、アンテナ１６２に結合されるか、またはいくつかの実施形態では、アンテナ１６２の一部であり得る、無線フロントエンド回路要素１９２をも含む。無線フロントエンド回路要素１９２は、フィルタ１９８と増幅器１９６とを含む。無線フロントエンド回路要素１９２は、アンテナ１６２および処理回路要素１７０に接続され得る。無線フロントエンド回路要素は、アンテナ１６２と処理回路要素１７０との間で通信される信号を調節するように設定され得る。無線フロントエンド回路要素１９２は、無線接続を介して他のネットワークノードまたはＷＤに送出されるべきであるデジタルデータを受信し得る。無線フロントエンド回路要素１９２は、デジタルデータを、フィルタ１９８および／または増幅器１９６の組合せを使用して適切なチャネルおよび帯域幅パラメータを有する無線信号に変換し得る。無線信号は、次いで、アンテナ１６２を介して送信され得る。同様に、データを受信するとき、アンテナ１６２は無線信号を収集し得、次いで、無線信号は無線フロントエンド回路要素１９２によってデジタルデータに変換される。デジタルデータは、処理回路要素１７０に受け渡され得る。他の実施形態では、インターフェースは、異なる構成要素および／または構成要素の異なる組合せを含み得る。
【００３９】
いくつかの代替実施形態では、ネットワークノード１６０は別個の無線フロントエンド回路要素１９２を含まないことがあり、代わりに、処理回路要素１７０は、無線フロントエンド回路要素を含み得、別個の無線フロントエンド回路要素１９２なしでアンテナ１６２に接続され得る。同様に、いくつかの実施形態では、ＲＦトランシーバ回路要素１７２の全部または一部が、インターフェース１９０の一部と見なされ得る。さらに他の実施形態では、インターフェース１９０は、無線ユニット（図示せず）の一部として、１つまたは複数のポートまたは端末１９４と、無線フロントエンド回路要素１９２と、ＲＦトランシーバ回路要素１７２とを含み得、インターフェース１９０は、デジタルユニット（図示せず）の一部であるベースバンド処理回路要素１７４と通信し得る。
【００４０】
アンテナ１６２は、無線信号を送り、および／または受信するように設定された、１つまたは複数のアンテナまたはアンテナアレイを含み得る。アンテナ１６２は、無線フロントエンド回路要素１９０に結合され得、データおよび／または信号を無線で送信および受信することが可能な任意のタイプのアンテナであり得る。いくつかの実施形態では、アンテナ１６２は、たとえば２ＧＨｚと６６ＧＨｚとの間の無線信号を送信／受信するように動作可能な１つまたは複数の全方向、セクタまたはパネルアンテナを含み得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１６２は、ネットワークノード１６０とは別個であり得、インターフェースまたはポートを通してネットワークノード１６０に接続可能であり得る。
【００４１】
アンテナ１６２、インターフェース１９０、および／または処理回路要素１７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１６２、インターフェース１９０、および／または処理回路要素１７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００４２】
電力回路要素１８７は、電力管理回路要素を含むか、または電力管理回路要素に結合され得、本明細書で説明される機能性を実施するための電力を、ネットワークノード１６０の構成要素に供給するように設定される。電力回路要素１８７は、電源１８６から電力を受信し得る。電源１８６および／または電力回路要素１８７は、それぞれの構成要素に好適な形式で（たとえば、各それぞれの構成要素のために必要とされる電圧および電流レベルにおいて）、ネットワークノード１６０の様々な構成要素に電力を提供するように設定され得る。電源１８６は、電力回路要素１８７および／またはネットワークノード１６０中に含まれるか、あるいは電力回路要素１８７および／またはネットワークノード１６０の外部にあるかのいずれかであり得る。たとえば、ネットワークノード１６０は、電気ケーブルなどの入力回路要素またはインターフェースを介して外部電源（たとえば、電気コンセント）に接続可能であり得、それにより、外部電源は電力回路要素１８７に電力を供給する。さらなる例として、電源１８６は、電力回路要素１８７に接続された、または電力回路要素１８７中で統合された、バッテリーまたはバッテリーパックの形態の電力源を含み得る。バッテリーは、外部電源が落ちた場合、バックアップ電力を提供し得る。光起電力デバイスなどの他のタイプの電源も使用され得る。
【００４３】
ネットワークノード１６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図２に示されている構成要素以外の追加の構成要素を含み得る。たとえば、ネットワークノード１６０は、ネットワークノード１６０への情報の入力を可能にするための、およびネットワークノード１６０からの情報の出力を可能にするための、ユーザインターフェース機器を含み得る。これは、ユーザが、ネットワークノード１６０のための診断、メンテナンス、修復、および他の管理機能を実施することを可能にし得る。
【００４４】
図３は、いくつかの実施形態による、例示的な無線デバイス（ＷＤ）１１０を示す。本明細書で使用されるＷＤは、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。この場合、ＷＤは、マシンツーマシン（Ｍ２Ｍ）デバイスであり得、これは、３ＧＰＰのコンテキストでは、マシン型通信（ＭＴＣ）デバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【００４５】
示されているように、無線デバイス１１０は、アンテナ１１１と、インターフェース１１４と、処理回路要素１２０と、デバイス可読媒体１３０と、ユーザインターフェース機器１３２と、補助機器１３４と、電源１３６と、電力回路要素１３７とを含む。ＷＤ１１０は、ＷＤ１１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１１０内の他の構成要素と同じまたは異なるチップまたはチップのセットに統合され得る。
【００４６】
アンテナ１１１は、無線信号を送り、および／または受信するように設定された、１つまたは複数のアンテナまたはアンテナアレイを含み得、インターフェース１１４に接続される。いくつかの代替実施形態では、アンテナ１１１は、ＷＤ１１０とは別個であり、インターフェースまたはポートを通してＷＤ１１０に接続可能であり得る。アンテナ１１１、インターフェース１１４、および／または処理回路要素１２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ１１１は、インターフェースと見なされ得る。
【００４７】
示されているように、インターフェース１１４は、無線フロントエンド回路要素１１２とアンテナ１１１とを含む。無線フロントエンド回路要素１１２は、１つまたは複数のフィルタ１１８と増幅器１１６とを含む。無線フロントエンド回路要素１１２は、アンテナ１１１および処理回路要素１２０に接続され、アンテナ１１１と処理回路要素１２０との間で通信される信号を調節するように設定される。無線フロントエンド回路要素１１２は、アンテナ１１１に結合されるか、またはアンテナ１１１の一部であり得る。いくつかの実施形態では、ＷＤ１１０は別個の無線フロントエンド回路要素１１２を含まないことがあり、むしろ、処理回路要素１２０は、無線フロントエンド回路要素を含み得、アンテナ１１１に接続され得る。同様に、いくつかの実施形態では、ＲＦトランシーバ回路要素１２２の一部または全部が、インターフェース１１４の一部と見なされ得る。無線フロントエンド回路要素１１２は、無線接続を介して他のネットワークノードまたはＷＤに送出されるべきであるデジタルデータを受信し得る。無線フロントエンド回路要素１１２は、デジタルデータを、フィルタ１１８および／または増幅器１１６の組合せを使用して適切なチャネルおよび帯域幅パラメータを有する無線信号に変換し得る。無線信号は、次いで、アンテナ１１１を介して送信され得る。同様に、データを受信するとき、アンテナ１１１は無線信号を収集し得、次いで、無線信号は無線フロントエンド回路要素１１２によってデジタルデータに変換される。デジタルデータは、処理回路要素１２０に受け渡され得る。他の実施形態では、インターフェースは、異なる構成要素および／または構成要素の異なる組合せを含み得る。
【００４８】
処理回路要素１２０は、単体で、またはデバイス可読媒体１３０などの他のＷＤ１１０構成要素と併せてのいずれかで、ＷＤ１１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを含み得る。そのような機能性は、本明細書で説明される様々な無線特徴または利益のうちのいずれかを提供することを含み得る。たとえば、処理回路要素１２０は、本明細書で開示される機能性を提供するために、デバイス可読媒体１３０に記憶された命令、または処理回路要素１２０内のメモリに記憶された命令を実行し得る。
【００４９】
示されているように、処理回路要素１２０は、ＲＦトランシーバ回路要素１２２、ベースバンド処理回路要素１２４、およびアプリケーション処理回路要素１２６のうちの１つまたは複数を含む。他の実施形態では、処理回路要素は、異なる構成要素および／または構成要素の異なる組合せを含み得る。いくつかの実施形態では、ＷＤ１１０の処理回路要素１２０は、ＳＯＣを含み得る。いくつかの実施形態では、ＲＦトランシーバ回路要素１２２、ベースバンド処理回路要素１２４、およびアプリケーション処理回路要素１２６は、別個のチップまたはチップのセット上にあり得る。代替実施形態では、ベースバンド処理回路要素１２４およびアプリケーション処理回路要素１２６の一部または全部は１つのチップまたはチップのセットになるように組み合わせられ得、ＲＦトランシーバ回路要素１２２は別個のチップまたはチップのセット上にあり得る。さらに代替の実施形態では、ＲＦトランシーバ回路要素１２２およびベースバンド処理回路要素１２４の一部または全部は同じチップまたはチップのセット上にあり得、アプリケーション処理回路要素１２６は別個のチップまたはチップのセット上にあり得る。また他の代替実施形態では、ＲＦトランシーバ回路要素１２２、ベースバンド処理回路要素１２４、およびアプリケーション処理回路要素１２６の一部または全部は、同じチップまたはチップのセット中で組み合わせられ得る。いくつかの実施形態では、ＲＦトランシーバ回路要素１２２は、インターフェース１１４の一部であり得る。ＲＦトランシーバ回路要素１２２は、処理回路要素１２０のためのＲＦ信号を調節し得る。
【００５０】
いくつかの実施形態では、ＷＤによって実施されるものとして本明細書で説明される機能性の一部または全部は、デバイス可読媒体１３０に記憶された命令を実行する処理回路要素１２０によって提供され得、デバイス可読媒体１３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１２０によって提供され得る。それらの特定の実施形態のいずれでも、デバイス可読記憶媒体に記憶された命令を実行するか否かにかかわらず、処理回路要素１２０は、説明される機能性を実施するように設定され得る。そのような機能性によって提供される利益は、処理回路要素１２０単独に、またはＷＤ１１０の他の構成要素に限定されないが、全体としてＷＤ１１０によって、ならびに／または概してエンドユーザおよび無線ネットワークによって、享受される。
【００５１】
処理回路要素１２０は、ＷＤによって実施されるものとして本明細書で説明される、任意の決定動作、計算動作、または同様の動作（たとえば、いくつかの取得動作）を実施するように設定され得る。処理回路要素１２０によって実施されるようなこれらの動作は、処理回路要素１２０によって取得された情報を、たとえば、取得された情報を他の情報に変換することによって、処理すること、取得された情報または変換された情報をＷＤ１１０によって記憶された情報と比較すること、ならびに／あるいは、取得された情報または変換された情報に基づいて、および前記処理が決定を行ったことの結果として、１つまたは複数の動作を実施することを含み得る。
【００５２】
デバイス可読媒体１３０は、コンピュータプログラム、ソフトウェア、論理、ルール、コード、テーブルなどのうちの１つまたは複数を含むアプリケーション、および／または処理回路要素１２０によって実行されることが可能な他の命令を記憶するように動作可能であり得る。デバイス可読媒体１３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１２０およびデバイス可読媒体１３０は、統合されていると見なされ得る。
【００５３】
ユーザインターフェース機器１３２は、人間のユーザがＷＤ１１０と対話することを可能にする構成要素を提供し得る。そのような対話は、視覚、聴覚、触覚など、多くの形式のものであり得る。ユーザインターフェース機器１３２は、ユーザへの出力を作り出すように、およびユーザがＷＤ１１０への入力を提供することを可能にするように動作可能であり得る。対話のタイプは、ＷＤ１１０にインストールされるユーザインターフェース機器１３２のタイプに応じて変化し得る。たとえば、ＷＤ１１０がスマートフォンである場合、対話はタッチスクリーンを介したものであり得、ＷＤ１１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１３２は、入力インターフェース、デバイスおよび回路、ならびに、出力インターフェース、デバイスおよび回路を含み得る。ユーザインターフェース機器１３２は、ＷＤ１１０への情報の入力を可能にするように設定され、処理回路要素１２０が入力情報を処理することを可能にするために、処理回路要素１２０に接続される。ユーザインターフェース機器１３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１３２はまた、ＷＤ１１０からの情報の出力を可能にするように、および処理回路要素１２０がＷＤ１１０からの情報を出力することを可能にするように設定される。ユーザインターフェース機器１３２は、たとえば、スピーカー、ディスプレイ、振動回路要素、ＵＳＢポート、ヘッドフォンインターフェース、または他の出力回路要素を含み得る。ユーザインターフェース機器１３２の１つまたは複数の入力および出力インターフェース、デバイス、および回路を使用して、ＷＤ１１０は、エンドユーザおよび／または無線ネットワークと通信し、エンドユーザおよび／または無線ネットワークが本明細書で説明される機能性から利益を得ることを可能にし得る。
【００５４】
補助機器１３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを含み得る。補助機器１３４の構成要素の包含およびタイプは、実施形態および／またはシナリオに応じて変化し得る。
【００５５】
電源１３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１１０は、電源１３６から、本明細書で説明または示される任意の機能性を行うために電源１３６からの電力を必要とする、ＷＤ１１０の様々な部分に電力を配信するための、電力回路要素１３７をさらに含み得る。電力回路要素１３７は、いくつかの実施形態では、電力管理回路要素を含み得る。電力回路要素１３７は、追加または代替として、外部電源から電力を受信するように動作可能であり得、その場合、ＷＤ１１０は、電力ケーブルなどの入力回路要素またはインターフェースを介して（電気コンセントなどの）外部電源に接続可能であり得る。電力回路要素１３７はまた、いくつかの実施形態では、外部電源から電源１３６に電力を配信するように動作可能であり得る。これは、たとえば、電源１３６の充電のためのものであり得る。電力回路要素１３７は、電源１３６からの電力に対して、その電力を、電力が供給されるＷＤ１１０のそれぞれの構成要素に好適であるようにするために、任意のフォーマッティング、変換、または他の修正を実施し得る。
【００５６】
図４は、いくつかの実施形態による、ＵＥの例示的な実施形態を示す。本明細書で使用されるユーザ機器またはＵＥは、必ずしも、関連のあるデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイスを表し得る。ＵＥは、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥをも含み得る。図４に示されているＵＥ２００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図４はＵＥであるが、本明細書で説明される構成要素は、ＷＤに等しく適用可能であり、その逆も同様である。
【００５７】
図４では、ＵＥ２００は、入出力インターフェース２０５、無線周波数（ＲＦ）インターフェース２０９、ネットワーク接続インターフェース２１１、ランダムアクセスメモリ（ＲＡＭ）２１７と読取り専用メモリ（ＲＯＭ）２１９と記憶媒体２２１などとを含むメモリ２１５、通信サブシステム２３１、電源２１３、および／または他の構成要素、あるいはそれらの任意の組合せに動作可能に結合された、処理回路要素２０１を含む。記憶媒体２２１は、オペレーティングシステム２２３と、アプリケーションプログラム２２５と、データ２２７とを含む。他の実施形態では、記憶媒体２２１は、他の同様のタイプの情報を含み得る。いくつかのＵＥは、図４に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【００５８】
図４では、処理回路要素２０１は、コンピュータ命令およびデータを処理するように設定され得る。処理回路要素２０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素２０１は、２つの中央処理ユニット（ＣＰＵ）を含み得る。データは、コンピュータによる使用に好適な形式での情報であり得る。
【００５９】
図示された実施形態では、入出力インターフェース２０５は、入力デバイス、出力デバイス、または入出力デバイスに通信インターフェースを提供するように設定され得る。ＵＥ２００は、入出力インターフェース２０５を介して出力デバイスを使用するように設定され得る。出力デバイスは、入力デバイスと同じタイプのインターフェースポートを使用し得る。たとえば、ＵＥ２００への入力およびＵＥ２００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ２００は、ユーザがＵＥ２００に情報をキャプチャすることを可能にするために、入出力インターフェース２０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００６０】
図４では、ＲＦインターフェース２０９は、送信機、受信機、およびアンテナなど、ＲＦ構成要素に通信インターフェースを提供するように設定され得る。ネットワーク接続インターフェース２１１は、ネットワーク２４３ａに通信インターフェースを提供するように設定され得る。ネットワーク２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ａは、Ｗｉ−Ｆｉネットワークを含み得る。ネットワーク接続インターフェース２１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース２１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【００６１】
ＲＡＭ２１７は、オペレーティングシステム、アプリケーションプログラム、およびデバイスドライバなど、ソフトウェアプログラムの実行中に、データまたはコンピュータ命令の記憶またはキャッシングを提供するために、バス２０２を介して処理回路要素２０１にインターフェースするように設定され得る。ＲＯＭ２１９は、処理回路要素２０１にコンピュータ命令またはデータを提供するように設定され得る。たとえば、ＲＯＭ２１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体２２１は、オペレーティングシステム２２３と、ウェブブラウザアプリケーション、ウィジェットまたはガジェットエンジン、あるいは別のアプリケーションなどのアプリケーションプログラム２２５と、データファイル２２７とを含むように設定され得る。記憶媒体２２１は、ＵＥ２００による使用のために、多様な様々なオペレーティングシステムまたはオペレーティングシステムの組合せのうちのいずれかを記憶し得る。
【００６２】
記憶媒体２２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体２２１は、ＵＥ２００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体２２１中に有形に具現され得、記憶媒体２２１はデバイス可読媒体を含み得る。
【００６３】
図４では、処理回路要素２０１は、通信サブシステム２３１を使用してネットワーク２４３ｂと通信するように設定され得る。ネットワーク２４３ａとネットワーク２４３ｂとは、同じ１つまたは複数のネットワークまたは異なる１つまたは複数のネットワークであり得る。通信サブシステム２３１は、ネットワーク２４３ｂと通信するために使用される１つまたは複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機２３３および／または受信機２３５を含み得る。さらに、各トランシーバの送信機２３３および受信機２３５は、回路構成要素、ソフトウェアまたはファームウェアを共有し得るか、または、代替的に、別個に実装され得る。
【００６４】
示されている実施形態では、通信サブシステム２３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム２３１は、セルラー通信と、Ｗｉ−Ｆｉ通信と、Ｂｌｕｅｔｏｏｔｈ通信と、ＧＰＳ通信とを含み得る。ネットワーク２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２４３ｂは、セルラーネットワーク、Ｗｉ−Ｆｉネットワーク、および／またはニアフィールドネットワークであり得る。電源２１３は、ＵＥ２００の構成要素に交流（ＡＣ）または直流（ＤＣ）電力を提供するように設定され得る。
【００６５】
本明細書で説明される特徴、利益および／または機能は、ＵＥ２００の構成要素のうちの１つにおいて実装されるか、またはＵＥ２００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム２３１は、本明細書で説明される構成要素のうちのいずれかを含むように設定され得る。さらに、処理回路要素２０１は、バス２０２上でそのような構成要素のうちのいずれかと通信するように設定され得る。別の例では、そのような構成要素のうちのいずれかは、処理回路要素２０１によって実行されたとき、本明細書で説明される対応する機能を実施する、メモリに記憶されたプログラム命令によって表され得る。別の例では、そのような構成要素のうちのいずれかの機能性は、処理回路要素２０１と通信サブシステム２３１との間で分割され得る。別の例では、そのような構成要素のうちのいずれかの非計算集約的機能が、ソフトウェアまたはファームウェアで実装され得、計算集約的機能がハードウェアで実装され得る。
【００６６】
図５は、いくつかの実施形態によって実装される機能が仮想化され得る、仮想化環境３００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００６７】
いくつかの実施形態では、本明細書で説明される機能の一部または全部は、ハードウェアノード３３０のうちの１つまたは複数によってホストされる１つまたは複数の仮想環境３００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００６８】
（代替的に、ソフトウェアインスタンス、仮想アプライアンス、ネットワーク機能、仮想ノード、仮想ネットワーク機能などと呼ばれることがある）機能は、本明細書で開示される実施形態のうちのいくつかの特徴、機能、および／または利益のうちのいくつかを実装するように動作可能な、１つまたは複数のアプリケーション３２０によって実装され得る。アプリケーション３２０は、処理回路要素３６０とメモリ３９０−１とを含むハードウェア３３０を提供する、仮想化環境３００において稼働される。メモリ３９０−１は、処理回路要素３６０によって実行可能な命令３９５を含んでおり、それにより、アプリケーション３２０は、本明細書で開示される特徴、利益、および／または機能のうちの１つまたは複数を提供するように動作可能である。
【００６９】
仮想化環境３００は、１つまたは複数のプロセッサのセットまたは処理回路要素３６０を含む、汎用または専用のネットワークハードウェアデバイス３３０を含み、１つまたは複数のプロセッサのセットまたは処理回路要素３６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ３９０−１を含み得、メモリ３９０−１は、処理回路要素３６０によって実行される命令３９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）３７０を含み得、ネットワークインターフェースコントローラ（ＮＩＣ）３７０は物理ネットワークインターフェース３８０を含む。各ハードウェアデバイスは、処理回路要素３６０によって実行可能なソフトウェア３９５および／または命令を記憶した、非一時的、永続的、機械可読記憶媒体３９０−２をも含み得る。ソフトウェア３９５は、１つまたは複数の（ハイパーバイザとも呼ばれる）仮想化レイヤ３５０をインスタンス化するためのソフトウェア、仮想マシン３４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【００７０】
仮想マシン３４０は、仮想処理、仮想メモリ、仮想ネットワーキングまたはインターフェース、および仮想記憶域を含み、対応する仮想化レイヤ３５０またはハイパーバイザによって稼働され得る。仮想アプライアンス３２０の事例の異なる実施形態が、仮想マシン３４０のうちの１つまたは複数上で実装され得、実装は異なるやり方で行われ得る。
【００７１】
動作中に、処理回路要素３６０は、ソフトウェア３９５を実行してハイパーバイザまたは仮想化レイヤ３５０をインスタンス化し、ハイパーバイザまたは仮想化レイヤ３５０は、時々、仮想マシンモニタ（ＶＭＭ）と呼ばれることがある。仮想化レイヤ３５０は、仮想マシン３４０に、ネットワーキングハードウェアのように見える仮想動作プラットフォームを提示し得る。
【００７２】
図５に示されているように、ハードウェア３３０は、一般的なまたは特定の構成要素をもつスタンドアロンネットワークノードであり得る。ハードウェア３３０は、アンテナ３２２５を含み得、仮想化を介していくつかの機能を実装し得る。代替的に、ハードウェア３３０は、多くのハードウェアノードが協働し、特に、アプリケーション３２０のライフサイクル管理を監督する、管理およびオーケストレーション（ＭＡＮＯ）３１００を介して管理される、（たとえば、データセンターまたは顧客構内機器（ＣＰＥ）の場合のような）ハードウェアのより大きいクラスタの一部であり得る。
【００７３】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【００７４】
ＮＦＶのコンテキストでは、仮想マシン３４０は、プログラムを、それらのプログラムが、物理的な仮想化されていないマシン上で実行しているかのように稼働する、物理マシンのソフトウェア実装形態であり得る。仮想マシン３４０の各々と、その仮想マシンに専用のハードウェアであろうと、および／またはその仮想マシンによって仮想マシン３４０のうちの他の仮想マシンと共有されるハードウェアであろうと、その仮想マシンを実行するハードウェア３３０のその一部とは、別個の仮想ネットワークエレメント（ＶＮＥ）を形成する。
【００７５】
さらにＮＦＶのコンテキストでは、仮想ネットワーク機能（ＶＮＦ）は、ハードウェアネットワーキングインフラストラクチャ３３０の上の１つまたは複数の仮想マシン３４０において稼働する固有のネットワーク機能をハンドリングすることを担当し、図５中のアプリケーション３２０に対応する。
【００７６】
いくつかの実施形態では、各々、１つまたは複数の送信機３２２０と１つまたは複数の受信機３２１０とを含む、１つまたは複数の無線ユニット３２００は、１つまたは複数のアンテナ３２２５に結合され得る。無線ユニット３２００は、１つまたは複数の適切なネットワークインターフェースを介してハードウェアノード３３０と直接通信し得、無線アクセスノードまたは基地局など、無線能力をもつ仮想ノードを提供するために仮想構成要素と組み合わせて使用され得る。
【００７７】
いくつかの実施形態では、何らかのシグナリングが、ハードウェアノード３３０と無線ユニット３２００との間の通信のために代替的に使用され得る制御システム３２３０を使用して、実現され得る。
【００７８】
図６は、いくつかの実施形態による、中間ネットワークを介してホストコンピュータに接続された例示的な通信ネットワークを示す。図６を参照すると、一実施形態によれば、通信システムが、無線アクセスネットワークなどのアクセスネットワーク４１１とコアネットワーク４１４とを含む、３ＧＰＰタイプセルラーネットワークなどの通信ネットワーク４１０を含む。アクセスネットワーク４１１は、ＮＢ、ｅＮＢ、ｇＮＢまたは他のタイプの無線アクセスポイントなど、複数の基地局４１２ａ、４１２ｂ、４１２ｃを含み、各々が、対応するカバレッジエリア４１３ａ、４１３ｂ、４１３ｃを規定する。各基地局４１２ａ、４１２ｂ、４１２ｃは、有線接続または無線接続４１５上でコアネットワーク４１４に接続可能である。カバレッジエリア４１３ｃ中に位置する第１のＵＥ４９１が、対応する基地局４１２ｃに無線で接続するか、または対応する基地局４１２ｃによってページングされるように設定される。カバレッジエリア４１３ａ中の第２のＵＥ４９２が、対応する基地局４１２ａに無線で接続可能である。この例では複数のＵＥ４９１、４９２が示されているが、開示される実施形態は、唯一のＵＥがカバレッジエリア中にある状況、または唯一のＵＥが対応する基地局４１２に接続している状況に等しく適用可能である。
【００７９】
通信ネットワーク４１０は、それ自体、ホストコンピュータ４３０に接続され、ホストコンピュータ４３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ４３０は、サービスプロバイダの所有または制御下にあり得、あるいはサービスプロバイダによってまたはサービスプロバイダに代わって動作され得る。通信ネットワーク４１０とホストコンピュータ４３０との間の接続４２１および４２２は、コアネットワーク４１４からホストコンピュータ４３０に直接延び得るか、または随意の中間ネットワーク４２０を介して進み得る。中間ネットワーク４２０は、パブリックネットワーク、プライベートネットワーク、またはホストされたネットワークのうちの１つ、またはそれらのうちの２つ以上の組合せであり得、中間ネットワーク４２０は、もしあれば、バックボーンネットワークまたはインターネットであり得、特に、中間ネットワーク４２０は、２つまたはそれ以上のサブネットワーク（図示せず）を含み得る。
【００８０】
図６の通信システムは全体として、接続されたＵＥ４９１、４９２とホストコンピュータ４３０との間のコネクティビティを可能にする。コネクティビティは、オーバーザトップ（ＯＴＴ）接続４５０として説明され得る。ホストコンピュータ４３０および接続されたＵＥ４９１、４９２は、アクセスネットワーク４１１、コアネットワーク４１４、任意の中間ネットワーク４２０、および考えられるさらなるインフラストラクチャ（図示せず）を媒介として使用して、ＯＴＴ接続４５０を介して、データおよび／またはシグナリングを通信するように設定される。ＯＴＴ接続４５０は、ＯＴＴ接続４５０が通過する、参加する通信デバイスが、アップリンクおよびダウンリンク通信のルーティングに気づいていないという意味で、透過的であり得る。たとえば、基地局４１２は、接続されたＵＥ４９１にフォワーディング（たとえば、ハンドオーバ）されるべき、ホストコンピュータ４３０から発生したデータを伴う着信ダウンリンク通信の過去のルーティングについて、通知されないことがあるかまたは通知される必要がない。同様に、基地局４１２は、ＵＥ４９１から発生してホストコンピュータ４３０に向かう発信アップリンク通信の将来ルーティングに気づいている必要がない。
【００８１】
図７は、いくつかの実施形態による、部分的無線接続上で基地局を介してユーザ機器と通信する例示的なホストコンピュータを示す。次に、一実施形態による、前の段落において説明されたＵＥ、基地局およびホストコンピュータの例示的な実装形態が、図７を参照しながら説明される。
【００８２】
通信システム５００では、ホストコンピュータ５１０が、通信システム５００の異なる通信デバイスのインターフェースとの有線接続または無線接続をセットアップおよび維持するように設定された通信インターフェース５１６を含む、ハードウェア５１５を含む。ホストコンピュータ５１０は、記憶能力および／または処理能力を有し得る、処理回路要素５１８をさらに含む。特に、処理回路要素５１８は、１つまたは複数のプログラマブルプロセッサ、特定用途向け集積回路、フィールドプログラマブルゲートアレイ、または、命令を実行するように適応されたこれらの組合せ（図示せず）を含み得る。ホストコンピュータ５１０は、ホストコンピュータ５１０に記憶されるかまたはホストコンピュータ５１０によってアクセス可能であり、処理回路要素５１８によって実行可能である、ソフトウェア５１１をさらに含む。ソフトウェア５１１は、ホストアプリケーション５１２を含む。ホストアプリケーション５１２は、ＵＥ５３０およびホストコンピュータ５１０において終端するＯＴＴ接続５５０を介して接続するＵＥ５３０など、リモートユーザにサービスを提供するように動作可能であり得る。リモートユーザにサービスを提供する際に、ホストアプリケーション５１２は、ＯＴＴ接続５５０を使用して送信されるユーザデータを提供し得る。
【００８３】
通信システム５００は、通信システム中に提供される基地局５２０をさらに含み、基地局５２０は、基地局５２０がホストコンピュータ５１０およびＵＥ５３０と通信することを可能にするハードウェア５２５を含む。ハードウェア５２５は、通信システム５００の異なる通信デバイスのインターフェースとの有線接続または無線接続をセットアップおよび維持するための通信インターフェース５２６、ならびに基地局５２０によってサーブされるカバレッジエリア（図７に図示せず）中に位置するＵＥ５３０との少なくとも無線接続５７０をセットアップおよび維持するための無線インターフェース５２７を含み得る。通信インターフェース５２６は、ホストコンピュータ５１０への接続５６０を容易にするように設定され得る。接続５６０は直接であり得るか、あるいは、接続５６０は、通信システムのコアネットワーク（図７に図示せず）を、および／または通信システムの外部の１つまたは複数の中間ネットワークを通過し得る。図示の実施形態では、基地局５２０のハードウェア５２５は、処理回路要素５２８をさらに含み、処理回路要素５２８は、１つまたは複数のプログラマブルプロセッサ、特定用途向け集積回路、フィールドプログラマブルゲートアレイ、または、命令を実行するように適応されたこれらの組合せ（図示せず）を含み得る。基地局５２０は、内部的に記憶されるかまたは外部接続を介してアクセス可能なソフトウェア５２１をさらに有する。
【００８４】
通信システム５００は、すでに言及されたＵＥ５３０をさらに含む。ＵＥ５３０のハードウェア５３５は、ＵＥ５３０が現在位置するカバレッジエリアをサーブする基地局との無線接続５７０をセットアップおよび維持するように設定された、無線インターフェース５３７を含み得る。ＵＥ５３０のハードウェア５３５は、処理回路要素５３８をさらに含み、処理回路要素５３８は、１つまたは複数のプログラマブルプロセッサ、特定用途向け集積回路、フィールドプログラマブルゲートアレイ、または、命令を実行するように適応されたこれらの組合せ（図示せず）を含み得る。ＵＥ５３０は、ＵＥ５３０に記憶されるかまたはＵＥ５３０によってアクセス可能であり、処理回路要素５３８によって実行可能である、ソフトウェア５３１をさらに含む。ソフトウェア５３１は、クライアントアプリケーション５３２を含む。クライアントアプリケーション５３２は、ホストコンピュータ５１０のサポートのもとに、ＵＥ５３０を介して人間のまたは人間でないユーザにサービスを提供するように動作可能であり得る。ホストコンピュータ５１０では、実行しているホストアプリケーション５１２は、ＵＥ５３０およびホストコンピュータ５１０において終端するＯＴＴ接続５５０を介して、実行しているクライアントアプリケーション５３２と通信し得る。ユーザにサービスを提供する際に、クライアントアプリケーション５３２は、ホストアプリケーション５１２から要求データを受信し、要求データに応答してユーザデータを提供し得る。ＯＴＴ接続５５０は、要求データとユーザデータの両方を転送し得る。クライアントアプリケーション５３２は、クライアントアプリケーション５３２が提供するユーザデータを生成するためにユーザと対話し得る。
【００８５】
図７に示されているホストコンピュータ５１０、基地局５２０およびＵＥ５３０は、それぞれ、図６のホストコンピュータ４３０、基地局４１２ａ、４１２ｂ、４１２ｃのうちの１つ、およびＵＥ４９１、４９２のうちの１つと同様または同等であり得ることに留意されたい。つまり、これらのエンティティの内部の働きは、図７に示されているようなものであり得、別個に、周囲のネットワークトポロジーは、図６のものであり得る。
【００８６】
図７では、ＯＴＴ接続５５０は、仲介デバイスとこれらのデバイスを介したメッセージの正確なルーティングとへの明示的言及なしに、基地局５２０を介したホストコンピュータ５１０とＵＥ５３０との間の通信を示すために抽象的に描かれている。ネットワークインフラストラクチャが、ルーティングを決定し得、ネットワークインフラストラクチャは、ＵＥ５３０からまたはホストコンピュータ５１０を動作させるサービスプロバイダから、またはその両方からルーティングを隠すように設定され得る。ＯＴＴ接続５５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【００８７】
ＵＥ５３０と基地局５２０との間の無線接続５７０は、本開示全体にわたって説明される実施形態の教示に従う。様々な実施形態のうちの１つまたは複数は、無線接続５７０が最後のセグメントを形成するＯＴＴ接続５５０を使用して、ＵＥ５３０に提供されるＯＴＴサービスの性能を改善する。より正確には、これらの実施形態の教示は、電力消費を改善し、それにより、延張されたバッテリー寿命などの利益を提供し得る。
【００８８】
１つまたは複数の実施形態が改善する、データレート、レイテンシおよび他のファクタを監視する目的での、測定プロシージャが提供され得る。測定結果の変動に応答して、ホストコンピュータ５１０とＵＥ５３０との間のＯＴＴ接続５５０を再設定するための随意のネットワーク機能性がさらにあり得る。測定プロシージャおよび／またはＯＴＴ接続５５０を再設定するためのネットワーク機能性は、ホストコンピュータ５１０のソフトウェア５１１およびハードウェア５１５でまたはＵＥ５３０のソフトウェア５３１およびハードウェア５３５で、またはその両方で実装され得る。実施形態では、ＯＴＴ接続５５０が通過する通信デバイスにおいてまたはそれに関連して、センサー（図示せず）が展開され得、センサーは、上記で例示された監視された量の値を供給すること、またはソフトウェア５１１、５３１が監視された量を算出または推定し得る他の物理量の値を供給することによって、測定プロシージャに参加し得る。ＯＴＴ接続５５０の再設定は、メッセージフォーマット、再送信セッティング、好ましいルーティングなどを含み得、再設定は、基地局５２０に影響を及ぼす必要がなく、再設定は、基地局５２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ５１０の測定を容易にするプロプライエタリＵＥシグナリングを伴い得る。測定は、ソフトウェア５１１および５３１が、ソフトウェア５１１および５３１が伝搬時間、エラーなどを監視する間にＯＴＴ接続５５０を使用して、メッセージ、特に空のまたは「ダミー」メッセージが送信されることを引き起こすことにおいて、実装され得る。
【００８９】
図８は、いくつかの実施形態による、無線デバイス１１０による例示的な方法６００を示す。無線デバイス１１０は、第１の無線アクセスノードに現在接続され、無線デバイス１１０が測定を実施することを開始するときを制御する、第１の無線アクセスノードによる少なくとも１つのｓ−ｍｅａｓｕｒｅで設定される。特定の実施形態では、無線デバイス１１０は、図４に関して上記で説明されたＵＥ２００などのＵＥを含み得る。特定の実施形態では、第１の無線アクセスノードおよび第２の無線アクセスノードは、図２に関して上記で説明されたネットワークノード１６０などのネットワークノードを含み得る。
【００９０】
ステップ６１０において、第１のＲＡＴ上での測定を実施するように第１の無線アクセスノードによって設定されると、無線デバイス１１０は、第１の無線アクセスノードのｓ−ｍｅａｓｕｒｅ基準が満たされるときに測定を実施することを開始する。
【００９１】
ステップ６２０において、第２のＲＡＴ上での測定を実施するように第１の無線アクセスノードによって設定されると、無線デバイス１１０は、第１の無線アクセスノードのｓ−ｍｅａｓｕｒｅ基準が満たされるか否かにかかわらず、第２のＲＡＴ上での測定を実施することを開始する。
【００９２】
特定の実施形態では、無線デバイス１１０は、第１のＲＡＴを用いる第１の無線アクセスノードと第２のＲＡＴを用いる第２の無線アクセスノードとの間のデュアルコネクティビティにおいて動作することが可能である。
【００９３】
特定の実施形態では、第１のＲＡＴはＬＴＥであり、第２のＲＡＴはＮＲである。別の実施形態では、第１のＲＡＴはＮＲであり、第２のＲＡＴはＬＴＥである。
【００９４】
特定の実施形態では、無線デバイス１１０は、第１のセルおよび０個またはそれ以上の２次セルにおいて第１の無線アクセスノードによってサーブされ、第１のセルは１次セルを含む。
【００９５】
特定の実施形態では、第１の無線アクセスノードのｓ−ｍｅａｓｕｒｅ基準を満たすことは、１次セルのセル品質レベルが、第１の無線アクセスノードのｓ−ｍｅａｓｕｒｅ設定で示されたしきい値を下回るときを意味する。
【００９６】
いくつかの実施形態では、上記で説明された方法は、コンピュータネットワーキング仮想装置によって実施され得る。図９は、いくつかの実施形態による、第１のＲＡＴを用いる第１の無線アクセスノードと第２のＲＡＴを用いる第２の無線アクセスノードとの間のデュアルコネクティビティが可能な無線デバイスにおける測定を実施するための例示的な仮想コンピューティングデバイス７００を示す。いくつかの実施形態では、仮想コンピューティングデバイス７００は、図８に示され、記載されている方法に関して上記で説明されたステップと同様のステップを実施するためのモジュールを含み得る。たとえば、仮想コンピューティングデバイス７００は、第１の開始モジュール７１０、第２の開始モジュール７２０、および第１のＲＡＴを用いる第１の無線アクセスノードと第２のＲＡＴを用いる第２の無線アクセスノードとの間のデュアルコネクティビティが可能な無線デバイスにおける測定を実施するための任意の他の好適なモジュールを含み得る。いくつかの実施形態では、モジュールのうちの１つまたは複数は、図３の処理回路要素１２０を使用して実装され得る。いくつかの実施形態では、様々なモジュールのうちの２つまたはそれ以上の機能が、組み合わせられて単一のモジュールになり得る。
【００９７】
第１の開始モジュール７１０は、何らかの、仮想コンピューティングデバイス７００の機能を実施することを開始することを実施し得る。たとえば、特定の実施形態では、第１のＲＡＴ上での測定を実施するように第１の無線アクセスノードによって設定されると、第１の開始モジュール７１０は、第１の無線アクセスノードのｓ−ｍｅａｓｕｒｅ基準が満たされるときに測定を実施することを開始し得る。
【００９８】
第２の開始モジュール７２０は、何らかの他の、仮想コンピューティングデバイス７００の機能を実施することを開始することを実施し得る。たとえば、特定の実施形態では、第２のＲＡＴ上での測定を実施するように第１の無線アクセスノードによって設定されると、第２の開始モジュール７２０は、第１の無線アクセスノードのｓ−ｍｅａｓｕｒｅ基準が満たされるか否かにかかわらず、第２のＲＡＴ上での測定を実施することを開始し得る。
【００９９】
仮想コンピューティングデバイス７００の他の実施形態は、上記で説明された機能性および／または（上記で説明されたソリューションをサポートするために必要な任意の機能性を含む）任意の追加の機能性のうちのいずれかを含む、無線デバイスの機能性のいくつかの態様を与えることを担当し得る、図９に示されている構成要素以外の追加の構成要素を含み得る。様々な異なるタイプの無線デバイス１１０は、同じ物理ハードウェアを有するが、（たとえば、プログラミングを介して）異なる無線アクセス技術をサポートするように設定された構成要素を含み得るか、あるいは部分的にまたは完全に異なる物理構成要素を表し得る。
【０１００】
図１０は、いくつかの実施形態による、第１のＲＡＴを用いる第１の無線アクセスノードと第２のＲＡＴを用いる第２の無線アクセスノードとの間のデュアルコネクティビティにおいて動作する無線デバイス１１０による例示的な方法８００を示す。例示的な方法では、無線デバイス１１０は、第１の無線アクセスノードと第２の無線アクセスノードの両方に現在接続され、第１の無線アクセスノードからの第１のｓ−ｍｅａｓｕｒｅと、第２の無線アクセスノードからの第２のｓ−ｍｅａｓｕｒｅとで設定される。特定の実施形態では、無線デバイス１１０は、図４に関して上記で説明されたＵＥ２００などのＵＥを含み得る。特定の実施形態では、第１の無線アクセスノードおよび第２の無線アクセスノードは、図２に関して上記で説明されたネットワークノード１６０などのネットワークノードを含み得る。
【０１０１】
ステップ８１０において、第１のＲＡＴ上での測定を実施するように第１の無線アクセスノードによって設定されると、無線デバイス１１０は、第１の無線アクセスノードのｓ−ｍｅａｓｕｒｅ基準が満たされるときに第１のＲＡＴ上での測定を実施することを開始する。
【０１０２】
ステップ８２０において、第２のＲＡＴ上での測定を実施するように第１の無線アクセスノードによって設定されると、無線デバイス１１０は、第１の無線アクセスノードのｓ−ｍｅａｓｕｒｅ基準が満たされるか否かにかかわらず、第２のＲＡＴ上での測定を実施することを開始する。
【０１０３】
特定の実施形態では、方法は、第２のＲＡＴ上での測定を実施するように第２の無線アクセスノードによって設定されると、無線デバイスが、第２の無線アクセスノードｓ−ｍｅａｓｕｒｅ基準が満たされるときに測定を実施することを開始することをさらに含み得る。さらに、第１のＲＡＴ上での測定を実施するように第２の無線アクセスノードによって設定されると、無線デバイス１１０は、第２の無線アクセスノードのｓ−ｍｅａｓｕｒｅ基準が満たされるか否かにかかわらず、第１のＲＡＴ上での測定を実施することを開始し得る。
【０１０４】
特定の実施形態では、第１のＲＡＴはＬＴＥであり、第２のＲＡＴはＮＲである。別の実施形態では、第１のＲＡＴはＮＲであり、第２のＲＡＴはＬＴＥである。
【０１０５】
特定の実施形態では、無線デバイスは、第１のセルおよび０個またはそれ以上の２次セルにおいて第１の無線アクセスノードによってサーブされ、第１のセルはＰＣｅｌｌである。
【０１０６】
特定の実施形態では、無線デバイスは、第２のセルおよび０個またはそれ以上の２次セルにおいて第２の無線アクセスノードによってサーブされ、第２のセルはＰＳＣｅｌｌである。
【０１０７】
特定の実施形態では、ＰＣｅｌｌのセル品質レベルが、第１の無線アクセスノードのｓ−ｍｅａｓｕｒｅ設定において示されたしきい値を下回るとき、第１の無線アクセスノードのｓ−ｍｅａｓｕｒｅ基準が満たされる。
【０１０８】
特定の実施形態では、ＰＳＣｅｌｌのセル品質レベルが、第２の無線アクセスノードのｓ−ｍｅａｓｕｒｅ設定において示されたしきい値を下回るとき、第２の無線アクセスノードのｓ−ｍｅａｓｕｒｅ基準が満たされる。
【０１０９】
いくつかの実施形態では、上記で説明された方法は、コンピュータネットワーキング仮想装置によって実施され得る。図１１は、いくつかの実施形態による、第１のＲＡＴを用いる第１の無線アクセスノードと第２のＲＡＴを用いる第２の無線アクセスノードとの間のデュアルコネクティビティにおいて動作する無線デバイスにおける測定を実施するための例示的な仮想コンピューティングデバイス９００を示す。いくつかの実施形態では、仮想コンピューティングデバイス９００は、図１０に示され、記載されている方法に関して上記で説明されたステップと同様のステップを実施するためのモジュールを含み得る。たとえば、仮想コンピューティングデバイス９００は、第１の開始モジュール９１０、第２の開始モジュール９２０、および第１のＲＡＴを用いる第１の無線アクセスノードと第２のＲＡＴを用いる第２の無線アクセスノードとの間のデュアルコネクティビティにおいて動作する無線デバイスにおける測定を実施することを開始するための任意の他の好適なモジュールを含み得る。いくつかの実施形態では、モジュールのうちの１つまたは複数は、図３の処理回路要素１２０を使用して実装され得る。いくつかの実施形態では、様々なモジュールのうちの２つまたはそれ以上の機能が、組み合わせられて単一のモジュールになり得る。
【０１１０】
第１の開始モジュール９１０は、何らかの、仮想コンピューティングデバイス９００の機能を実施することを開始することを実施し得る。たとえば、特定の実施形態では、第１のＲＡＴ上での測定を実施するように第１の無線アクセスノードによって設定されると、第１の開始モジュール９１０は、第１の無線アクセスノードのｓ−ｍｅａｓｕｒｅ基準が満たされるときに第１のＲＡＴ上での測定を実施することを開始し得る。
【０１１１】
第２の開始モジュール９２０は、何らかの他の、仮想コンピューティングデバイス９００の機能を実施することを開始することを実施し得る。たとえば、特定の実施形態では、第２のＲＡＴ上での測定を実施するように第１の無線アクセスノードによって設定されると、第２の開始モジュール９２０は、第１の無線アクセスノードのｓ−ｍｅａｓｕｒｅ基準が満たされるか否かにかかわらず、第２のＲＡＴ上での測定を実施することを開始し得る。
【０１１２】
仮想コンピューティングデバイス９００の他の実施形態は、上記で説明された機能性および／または（上記で説明されたソリューションをサポートするために必要な任意の機能性を含む）任意の追加の機能性のうちのいずれかを含む、無線デバイスの機能性のいくつかの態様を与えることを担当し得る、図１１に示されている構成要素以外の追加の構成要素を含み得る。様々な異なるタイプの無線デバイス１１０は、同じ物理ハードウェアを有するが、（たとえば、プログラミングを介して）異なる無線アクセス技術をサポートするように設定された構成要素を含み得るか、あるいは部分的にまたは完全に異なる物理構成要素を表し得る。
【０１１３】
例示的な実施形態
【０１１４】
グループＡ実施形態：
実施形態１（シナリオ１：ＤＣがセットアップされる前）：  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作することが可能であり、第１のノードに現在接続され、ユーザ機器が測定を実施することを開始するときを制御する、第１のノードによるｓ−ｍｅａｓｕｒｅが設定され、方法は、
第２のＲＡＴ上での測定を実施するように第１のノードによって設定されると、第１のノードのｓ−ｍｅａｓｕｒｅ基準が満たされるか否かにかかわらず、第２のＲＡＴ上での測定を実施することを開始すること
を含む、方法。
実施形態２（シナリオ２：ＤＣがセットアップされた後）：  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
第２のノードのｓ−ｍｅａｓｕｒｅ基準を満たすと、第２のＲＡＴ上で設定されたすべての測定についての測定を、これらの測定が、第１のノードによって設定されたのか、第２のノードによって設定されたのかにかかわらず、実施することを開始すること
を含む、方法。
実施形態３．  ユーザ機器（ＵＥ）における方法であって、ＵＥが、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとで設定され、方法は、
ＵＥによって、２つの異なるＲＡＴ間のデュアルコネクティビティ中の挙動をハンドリングするｓ−ｍｅａｓｕｒｅを指定するパラメータ（たとえば、ｉｎｔｅｒ−ＲＡＴ−ｓＭｅａｓｕｒｅＡｃｔｉｖａｔｅ）を維持することと、
ｉｎｔｅｒ−ＲＡＴ−ｓＭｅａｓｕｒｅＡｃｔｉｖａｔｅパラメータが真にセットされた場合、第２のＲＡＴのｓ−ｍｅａｓｕｒｅ基準を満たすと、第１のノードによって設定された第２のＲＡＴ上での測定を実施することを開始することと
を含む、方法。
実施形態４．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
ＵＥによって、２つのｉｎｔｅｒ−ＲＡＴ−ｓＭｅａｓｕｒｅＡｃｔｉｖａｔｅパラメータ、ｉｎｔｅｒ−ＲＡＴ−ｓＭｅａｓｕｒｅＡｃｔｉｖａｔｅ−ｆｉｒｓｔＲＡＴとｉｎｔｅｒ−ＲＡＴ−ｓＭｅａｓｕｒｅＡｃｔｉｖａｔｅ−ｓｅｃｏｎｄＲＡＴと、を維持することと、
ｉｎｔｅｒ−ＲＡＴ−ｓＭｅａｓｕｒｅＡｃｔｉｖａｔｅ−ｆｉｒｓｔＲＡＴが真にセットされた場合、第２のＲＡＴのｓ−ｍｅａｓｕｒｅ基準を満たすと、第１のノードによって設定された第２のＲＡＴ上での測定を実施することを開始することと
を含む、方法。
実施形態５．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
ＵＥによって、２つの設定パラメータ２つのｉｎｔｅｒ−ＲＡＴ−ｓＭｅａｓｕｒｅＡｃｔｉｖａｔｅパラメータ、ｉｎｔｅｒ−ＲＡＴ−ｓＭｅａｓｕｒｅＡｃｔｉｖａｔｅ−ｆｉｒｓｔＲＡＴとｉｎｔｅｒ−ＲＡＴ−ｓＭｅａｓｕｒｅＡｃｔｉｖａｔｅ−ｓｅｃｏｎｄＲＡＴと、を維持することと、
ｉｎｔｅｒ−ＲＡＴ−ｓＭｅａｓｕｒｅＡｃｔｉｖａｔｅ−ｓｅｃｏｎｄＲＡＴが真にセットされた場合、第１のＲＡＴのｓ−ｍｅａｓｕｒｅ基準を満たすと、第２のノードによって設定された第１のＲＡＴ上での測定を実施することを開始することと
を含む、方法。
実施形態６．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
第２のＲＡＴのｓ−ｍｅａｓｕｒｅ基準を満たすと、第１のノードによって設定されたすべての測定を実施することを開始すること
を含む、方法。
実施形態７．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
ＵＥによって、２つの異なるＲＡＴ間のデュアルコネクティビティ中の挙動をハンドリングするｓ−ｍｅａｓｕｒｅを指定するパラメータ（たとえば、ｉｎｔｅｒ−ＲＡＴ−ｓＭｅａｓｕｒｅＡｃｔｉｖａｔｅＡｌｌ）を維持することと、
このパラメータが真にセットされた場合、第２のＲＡＴのｓ−ｍｅａｓｕｒｅ基準を満たすと、第１のノードによって設定されたすべての測定を実施することを開始することと
を含む、方法。
実施形態８．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
ＵＥによって、２つの異なるＲＡＴ間のデュアルコネクティビティ中の挙動をハンドリングするｓ−ｍｅａｓｕｒｅを指定する２つの設定パラメータ（たとえば、ｉｎｔｅｒ−ＲＡＴ−ｓＭｅａｓｕｒｅＡｃｔｉｖａｔｅＡｌｌ−ＦｉｒｓｔＲＡＴおよびｉｎｔｅｒ−ＲＡＴ−ｓＭｅａｓｕｒｅＡｃｔｉｖａｔｅＡｌｌ−ＳｅｃｏｎｄＲＡＴ）を維持することと、
ｉｎｔｅｒ−ＲＡＴ−ｓＭｅａｓｕｒｅＡｃｔｉｖａｔｅＡｌｌ−ＦｉｒｓｔＲＡＴが真にセットされた場合、第２のＲＡＴのｓ−ｍｅａｓｕｒｅ基準を満たすと、第１のＲＡＴによって設定されたすべての測定を実施することを開始することと
を含む、方法。
実施形態９．  ユーザ機器（ＵＥ）における方法であって、ＵＥは、第１の無線アクセス技術（ＲＡＴ）を用いる第１の無線アクセスノードと第２の無線アクセス技術（ＲＡＴ）を用いる第２の無線アクセスノードとの間のデュアルコネクティビティにおいて動作し、第１のノードと第２のノードの両方に現在接続され、第１のノードからのｓ−ｍｅａｓｕｒｅと第２のノードからの別のｓ−ｍｅａｓｕｒｅとが設定され、方法は、
ＵＥによって、２つの異なるＲＡＴ間のデュアルコネクティビティ中の挙動をハンドリングするｓ−ｍｅａｓｕｒｅを指定する２つの設定パラメータ（たとえば、ｉｎｔｅｒ−ＲＡＴ−ｓＭｅａｓｕｒｅＡｃｔｉｖａｔｅＡｌｌ−ＦｉｒｓｔＲＡＴおよびｉｎｔｅｒ−ＲＡＴ−ｓＭｅａｓｕｒｅＡｃｔｉｖａｔｅＡｌｌ−ＳｅｃｏｎｄＲＡＴ）を維持することと、
ｉｎｔｅｒ−ＲＡＴ−ｓＭｅａｓｕｒｅＡｃｔｉｖａｔｅＡｌｌ−ＳｅｃｏｎｄＲＡＴが真にセットされた場合、第１のＲＡＴのｓ−ｍｅａｓｕｒｅ基準を満たすと、第２のノードによって設定されたすべての測定を実施することを開始することと
を含む、方法。
実施形態１０．  第１のＲＡＴがＬＴＥであり、第２のＲＡＴがＮＲであり、またはその逆もある、上記の実施形態１から９のいずれか１つに記載の方法。
【０１１５】
グループＢ実施形態
実施形態１２Ａ．  グループＡ実施形態のいずれか１つに記載のステップのいずれかを実施するように設定された処理回路要素と、
無線デバイスに電力を供給するように設定された電力供給回路要素と
を含む、無線デバイス。
実施形態１２Ｂ．  ユーザ機器（ＵＥ）であって、
無線信号を送り、受信するように設定されたアンテナと、
アンテナおよび処理回路要素に接続され、アンテナと処理回路要素との間で通信される信号を調節するように設定された、無線フロントエンド回路要素であって、
処理回路要素が、グループＡ実施形態のいずれか１つに記載のステップのいずれかを実施するように設定された、無線フロントエンド回路要素と、
処理回路要素に接続され、ＵＥへの情報の入力が処理回路要素によって処理されることを可能にするように設定された、入力インターフェースと、
処理回路要素に接続され、処理回路要素によって処理されたＵＥからの情報を出力するように設定された、出力インターフェースと、
処理回路要素に接続され、ＵＥに電力を供給するように設定された、バッテリーと
を含む、ユーザ機器（ＵＥ）。
実施形態１３．  ホストコンピュータを含む通信システムであって、ホストコンピュータが、
ユーザデータを提供するように設定された処理回路要素と、
ユーザ機器（ＵＥ）への送信のためにユーザデータをセルラーネットワークにフォワーディングするように設定された通信インターフェースと
を含み、
ＵＥが無線インターフェースと処理回路要素とを含み、ＵＥの構成要素が、グループＡ実施形態のいずれか１つに記載のステップのいずれかを実施するように設定された、
通信システム。
実施形態１４．  セルラーネットワークが、ＵＥと通信するように設定された基地局をさらに含む、実施形態１３に記載の通信システム。
実施形態１５．  ホストコンピュータの処理回路要素が、ホストアプリケーションを実行し、それによりユーザデータを提供するように設定され、
ＵＥの処理回路要素が、ホストアプリケーションに関連付けられたクライアントアプリケーションを実行するように設定された、
実施形態１３または１４に記載の通信システム。
実施形態１６．  ホストコンピュータと、基地局と、ユーザ機器（ＵＥ）とを含む通信システムにおいて実装される方法であって、方法は、
ホストコンピュータにおいて、ユーザデータを提供することと、
ホストコンピュータにおいて、基地局を含むセルラーネットワークを介してＵＥにユーザデータを搬送する送信を始動することであって、ＵＥが、グループＡ実施形態のいずれか１つに記載のステップのいずれかを実施する、送信を始動することと
を含む、方法。
実施形態１７．  ＵＥにおいて、基地局からユーザデータを受信することをさらに含む、実施形態１６に記載の方法。
実施形態１８．  ホストコンピュータを含む通信システムであって、ホストコンピュータが、
ユーザ機器（ＵＥ）から基地局への送信から発生したユーザデータを受信するように設定された通信インターフェース
を含み、
ＵＥが無線インターフェースと処理回路要素とを含み、ＵＥの処理回路要素が、グループＡ実施形態のいずれか１つに記載のステップのいずれかを実施するように設定された、
通信システム。
実施形態１９．  ＵＥをさらに含む、実施形態１８に記載の通信システム。
実施形態２０．  基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを含む、実施形態１８または１９に記載の通信システム。
実施形態２１．  ホストコンピュータの処理回路要素が、ホストアプリケーションを実行するように設定され、
ＵＥの処理回路要素が、ホストアプリケーションに関連付けられたクライアントアプリケーションを実行し、それによりユーザデータを提供するように設定された、
実施形態１８から２０のいずれか１つに記載の通信システム。
実施形態２２．  ホストコンピュータの処理回路要素が、ホストアプリケーションを実行し、それにより要求データを提供するように設定され、
ＵＥの処理回路要素が、ホストアプリケーションに関連付けられたクライアントアプリケーションを実行し、それにより要求データに応答してユーザデータを提供するように設定された、
実施形態１８から２１のいずれか１つに記載の通信システム。
実施形態２３．  ホストコンピュータと、基地局と、ユーザ機器（ＵＥ）とを含む通信システムにおいて実装される方法であって、方法は、
ホストコンピュータにおいて、ＵＥから基地局に送信されたユーザデータを受信することであって、ＵＥが、グループＡ実施形態のいずれか１つに記載のステップのいずれかを実施する、ユーザデータを受信すること
を含む、方法。
実施形態２４．  ＵＥにおいて、基地局にユーザデータを提供することをさらに含む、実施形態２３に記載の方法。
実施形態２５．  ＵＥにおいて、クライアントアプリケーションを実行し、それにより送信されるべきユーザデータを提供することと、
ホストコンピュータにおいて、クライアントアプリケーションに関連付けられたホストアプリケーションを実行することと
をさらに含む、実施形態２３または２４に記載の方法。
実施形態２６．  ＵＥにおいて、クライアントアプリケーションを実行することと、
ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することと
をさらに含み、
送信されるべきユーザデータが、入力データに応答してクライアントアプリケーションによって提供される、
実施形態２３から２５のいずれか１つに記載の方法。
実施形態２７．  ホストコンピュータと、基地局と、ユーザ機器（ＵＥ）とを含む通信システムにおいて実装される方法であって、方法は、
ホストコンピュータにおいて、基地局から、基地局がＵＥから受信した送信から発生したユーザデータを受信することであって、ＵＥが、グループＡ実施形態のいずれか１つに記載のステップのいずれかを実施する、ユーザデータを受信すること
を含む、方法。
実施形態２８．  基地局において、ＵＥからユーザデータを受信することをさらに含む、実施形態２７に記載の方法。
実施形態２９．  基地局において、ホストコンピュータへの、受信されたユーザデータの送信を始動することをさらに含む、実施形態２７または２８に記載の方法。
【０１１６】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを含み得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１１７】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１１８】
追加情報
【０１１９】
１．序論
測定設定およびＲＲＭに関係するＲＡＮ２＃９９ｂｉｓ会議において、ある進展があった。ドラフトＲＲＣ仕様の同意を捕捉するために電子メール議論がトリガされた。
［９９ｂｉｓ＃２０］［ＮＲ］ＲＲＭ（Ｅｒｉｃｓｓｏｎ）
ドラフトＴＳにおけるこの会議からのＴＰのマージの後に、ＲＲＭ、ＡＳＮ．１ならびに対応するフィールド説明およびプロシージャテキストを進展させ続ける。含めるべきこと：
−  この会議からの同意を捕捉するために更新すること
−  認識されたＦＦＳポイントに対処することを試みる
−  次の会議においてオンライン議論を必要とするＦＦＳポイントを認識する
意図される成果：次の会議のためのＴＰ（ドラフトＴＳに対する変更）
最終期限：２０１７年１１月９日木曜日
企業からの質問を生じた１つのトピックは、ｓ−ＭｅａｓｕｒｅおよびＵＥ挙動の設定に関する同意が解釈されるべきであったやり方であった。この寄与文書は、以下の問題を明瞭にすることを目的とする。
−  １／  ＲＳタイプごとのｓ−Ｍｅａｓｕｒｅの設定、
−  ２／  ＥＮ−ＤＣにおけるｓ−Ｍｅａｓｕｒｅに基づくＵＥ挙動。
【０１２０】
２．議論
ｓ−ＭｅａｓｕｒｅがＮＲのためのＲＡＮ２において最初に検討されたのは、ＲＡＮ２＃９７−ｂｉｓスポケーンにおいてであり、以下が同意された。
2021505027.tif 000003
ＲＡＮ２＃９９ベルリンでは、ＥＮ−ＤＣ議論中に、以下が同意された。
2021505027.tif 000004
次いで、ＲＡＮ２＃９９ｂｉｓプラハでは、ＲＲＭに関するＲＡＮ２＃９９ベルリンにおいてトリガされた電子メール議論に基づいて、以下が同意された（Ｒ２−１７１１９６３、電子メール議論の概要［９９＃３２］［ＮＲ］ＲＲＭに関するＴＰ、Ｅｒｉｃｓｓｏｎ、ＲＡＮ２＃９９ｂｉｓプラハ）。
2021505027.tif 000005
上記で説明された同意に基づいて、ＲＲＭに関するＴＰが、Ｒ２−７１３５９０、ＲＲＭに関するＴＰ、Ｅｒｉｃｓｓｏｎ、ＲＡＮ２＃１００リノにおいて起草された。そこでは、ＮＲに関するｓ−Ｍｅａｓｕｒｅについての同意が以下のように解釈された。
−  ネットワークは、単一のｓ−Ｍｅａｓｕｒｅ値でのみＵＥを設定することができる、
−  ＲＳＲＰのみが測定量として使用される、
−  ＲＳタイプが設定され得る、すなわち、ＣＳＩ−ＲＳまたはＳＳ／ＰＢＣＨブロック。
その解釈についての推論は、以下に示されているように、同意の出所、すなわち、電子メール議論＃３２、より詳細には議論２．２および２．３に対する大部分の企業からの応答から来るものである。
［９９＃３２］［ＮＲ］ＲＲＭに関するＴＰ（Ｅｒｉｃｓｓｏｎ）
この会議からの進展を捕捉すること。
議論はまた、小さいＦＦＳポイント（たとえば、ＬＴＥベースラインから取られ、何らかの議論なしに直接ＮＲに移されない、項目、およびＮＲにおいて含めるべきかどうかの明示的判断がまだなされていないＬＴＥベースラインからの項目（たとえば、ＬＴＥの後のリリースにおいて追加された特徴））を解決することができる。
電子メール議論の概要は、行われたいかなる小さい判断の概要をも提供し、ならびに残りのＦＦＳポイントのリストを提供するべきである。
意図される成果：次の会議にサブミットされたＴＰ
最終期限：２０１７年９月２１日木曜日
【０１２１】
＊＊ＲＡＮ２＃９９ベルリン（Ｒ２−１７１１９６３）の後にトリガされた電子メール議論＃３２からの抜粋＊＊
議論２．２：企業は、Ｒｅｌ−１５においてネットワークが（所与の測定量、たとえば、ＲＳＲＰについて）異なるＲＳタイプを考慮してどのようにｓ−Ｍｅａｓｕｒｅを設定し得るかに対する企業の考え方を表すことを歓迎する。少なくとも以下のオプションが前の議論から認識された（ただし、企業は他のオプションを提供することを歓迎する）。
−  ａ／  単一のｓ−Ｍｅａｓｕｒｅが提供され得る（ネットワークは、そのｓ−Ｍｅａｓｕｒｅに関連付けるためのＲＳタイプを設定し得る）、
〇  また、サービングセル品質がこのｓ−Ｍｅａｓｕｒｅを下回る場合、ＵＥは、ネイバーセルのためのすべての設定されたＲＳタイプに対する測定を実施するものとする
−  ｂ／  （ＲＳタイプごとの）複数のｓ−Ｍｅａｓｕｒｅが提供され得る。ネットワークは、以下の一方または両方を設定し得る。
〇  オプションｂ．１：ＲＳタイプのいずれかの品質が、その設定されたしきい値を下回る場合、ＵＥは、ネイバーセルのためのすべての設定されたＲＳタイプに対する測定を実施するものとする
〇  オプションｂ．２：両方のＲＳタイプの品質が、それらの設定されたしきい値を下回る場合、ＵＥは、ネイバーセルのためのすべての設定されたＲＳタイプに対する測定を実施するものとする。
−  ｃ／  ＳＳブロックのみに基づく単一のｓ−Ｍｅａｓｕｒｅ
2021505027.tif 000006
2021505027.tif 000007
【０１２２】
議論２．２および２．３の概要：大部分の企業は、ネットワークが、設定可能なＲＳタイプ（ＳＳブロックまたはＣＳＩ−ＲＳ）を伴う単一のｓ−Ｍｅａｓｕｒｅのみを設定することができることに同意する。ＵＥは、ＰＣｅｌｌ  ＲＳＲＰが、この設定されたｓ−Ｍｅａｓｕｒｅしきい値を下回る場合、ネイバーセル測定を実施するものとする。現在のドラフトＡＳＮ．１構造は、それに従い、ｍｅａｓＣｏｎｆｉｇ中の単一のｓ−ＭｅａｓｕｒｅＣｏｎｆｉｇ  ＩＥを規定し、ネットワークは、測定量としてｓｓｂ−ｒｓｒｐまたはｃｓｉ−ｒｓｒｐのいずれかを設定することを選定するにすぎないことがある。
＊＊ＲＡＮ２＃９９ベルリン（Ｒ２−１７１１９６３）の後にトリガされた電子メール議論＃３２からの抜粋＊＊
わかり得るように、応答から以下が観測され得る。
−  ほとんどすべての企業（１５）が単一のｓ−Ｍｅａｓｕｒｅしきい値を選好した、
−  すべての企業がＲＳＲＰのみを選好する、
−  ほとんどすべての企業（１１）が、すべてのネイバーセル測定を制御する設定可能なＲＳタイプを伴う単一の値を選好した、すなわち、ＲＳタイプごとのネイバリング測定ならびに／またはビームおよびセル測定を区別するさらなる最適化なし。
観測１  電子メール議論＃３２において、大部分の企業は、ネットワークが、設定可能なＲＳタイプ（ＳＳブロックまたはＣＳＩ−ＲＳ）を伴う単一のｓ−Ｍｅａｓｕｒｅのみを設定することができることを選好した。ＵＥは、ＰＣｅｌｌ  ＲＳＲＰが、この設定されたｓ−Ｍｅａｓｕｒｅしきい値を下回る場合、ネイバーセル測定を実施するものとする。マージされたＴＰは、それに従い、ｍｅａｓＣｏｎｆｉｇ中の単一のｓ−ＭｅａｓｕｒｅＣｏｎｆｉｇ  ＩＥを規定し、ネットワークは、測定量としてｓｓｂ−ｒｓｒｐまたはｃｓｉ−ｒｓｒｐのいずれかを設定することを選定するにすぎないことがある。
電子メール議論＃３２からの結論に基づいて、ＲＲＭに関するＴＰがＲ２−７１３５９０において起草された。このため、以下が提案される。
提案１  ＲＳタイプごとのｓ−Ｍｅａｓｕｒｅ設定について、ＲＲＭに関するＴＰ（Ｒ２−１７１３５９０）における解釈を保つ、すなわち、電子メール議論＃３２の概要（Ｒ２−１７１１９６３）に基づく。Ｒ２−１７１３５９０における厳密な明確な記述に関する検討が可能である。
【０１２３】
２．１  ＥＮ−ＤＣにおけるｓ−Ｍｅａｓｕｒｅに基づくＵＥ挙動
ＲＡＮ２＃９９ベルリンでは、ＥＮ−ＤＣ議論中に、以下が同意された。
2021505027.tif 000008
同意にもかかわらず、ＲＲＭ電子メール議論＃２０において少なくとも１つの企業によって正しく指摘されたように、ＲＡＮ２は、異なる条件の下でのＥＮ−ＤＣセットアップの前および後に、ＥＮ−ＤＣにおいて２つのｓ−ｍｅａｓｕｒｅ値が設定されたときのＵＥ挙動について議論しなかった。
おそらく、現在のＲＲＭ  ＴＰ（Ｒ２−７１３５９０）においても少なくとも一時的に仮定された、最も単純なソリューションが、プロシージャのあるレベルの独立性であるようである、すなわち、ＥＵＴＲＡＮによって設定されたｓ−Ｍｅａｓｕｒｅが、ＥＵＴＲＡＮによって設定されたネイバーセル測定のトリガリングを制御し、ＮＧ−ＲＡＮによって設定されたｓ−Ｍｅａｓｕｒｅが、ＮＧ−ＲＡＮによって設定されたネイバーセル測定のトリガリングを制御する。
観測２  おそらく、ＵＥ挙動に関する同意の最も単純な解釈は、各独立して設定されたｓ−Ｍｅａｓｕｒｅ値が、各ＲＡＴ、ＮＧ−ＲＡＮおよびＥＵＴＲＡＮによって提供された各ｍｅａｓＣｏｎｆｉｇを制御することである。このため、ＲＡＮ２は、それが実際に機能するかどうかを議論するべきである。
カバレッジベースのハンドオーバをサポートするためのネイバー測定をトリガするためにｓ−Ｍｅａｓｕｒｅが規定されたこと、すなわち、ＰＣｅｌｌ  ＲＳＲＰが、設定可能なｓ−Ｍｅａｓｕｒｅ値を下回るときに、ネイバー測定がトリガされることは要約するに値する。ＥＵＴＲＡＮでは、ネットワークが、ハンドオーバに加えて、キャリアアグリゲーション（ＣＡ）および／またはデュアルコネクティビティ（ＤＣ）をサポートする場合、ネットワークは、候補ＰＳＣｅｌｌ／ＳＣｅｌｌのセットアップが、ＰＣｅｌｌ品質が良好であるか否かに直接依存するべきでないので、ｓ−Ｍｅａｓｕｒｅを設定するのに悩みさえしないか、または、ネットワークは、ｓ−Ｍｅａｓｕｒｅをできるだけ低くセットするであろう。
観測３  ＥＵＴＲＡＮが、ハンドオーバに加えて、ＣＡおよび／またはＤＣをセットアップする目的で、測定を実施するようにＵＥを設定するとき、ＥＵＴＲＡＮは、ｓ−Ｍｅａｓｕｒｅをその最低値にセットするか、または単にｓ−Ｍｅａｓｕｒｅを設定しないかのいずれかを行う。言い換えれば、ＤＣ／ＣＡは、ｓ−Ｍｅａｓｕｒｅを極めて無用にする。
このため、ＥＮ−ＤＣの場合のように、ＬＴＥからＮＲへのＲＡＴ間ハンドオーバがサポートさえされず、潜在的帰結は、ＥＵＴＲＡＮが、ＥＮ−ＤＣがセットアップされる前にＥＮ−ＤＣ対応ＵＥのために決してｓ−Ｍｅａｓｕｒｅを設定しないことになることである。
観測４  ＥＵＴＲＡＮが、ＥＮ−ＤＣの目的で、測定を実施するようにＵＥを設定するとき、ＥＵＴＲＡＮは、決してｓ−Ｍｅａｓｕｒｅを設定しないことがある。
原則として、ＥＵＴＲＡＮが、ＬＴＥからＮＲへのＲＡＴ間ハンドオーバをサポートすることを希望するにすぎないとき、ｓ−Ｍｅａｓｕｒｅの使用が限定されると言うことができる。しかしながら、ＮＲが最も優先度の高いＲＡＴであるので、ＥＵＴＲＡＮがＮＲ周波数に対する測定を設定する場合、ＥＵＴＲＡＮは、カバレッジが十分に良好である場合、ＵＥができるだけ速くＮＲに戻ることを希望する。このため、ＥＵＴＲＡＮは、ＮＲ測定、さらにより一般的には、より優先度の高いＲＡＴ測定を実施するために、ＵＥを決して待たせないことになる。このため、ＲＡＴ間ハンドオーバのその場合についてさえ、ｓ−Ｍｅａｓｕｒｅは、ＮＲ測定のためにあまり有用でないであろう。このため、少なくともＬＴＥ測定のために、ｓ−ＭｅａｓｕｒｅをＥＮ−ＤＣにおいて有用にするために、以下が提案される。
提案２  ＵＥは、ｓ−Ｍｅａｓｕｒｅが設定されるか否かにかかわらず、ｍｅａｓＣｏｎｆｉｇを受信すると、ＥＵＴＲＡＮによって設定されたＮＲ測定を実施するものとする。
ＥＮ−ＤＣがセットアップされた後に、ＮＧ−ＲＡＮは、ＳＣＧ  ＰＣｅｌｌ品質が極めて良好であるとき、ＳＣＧ変更をサポートするために提供される測定が潜在的に遅延され得るので、ｓ−Ｍｅａｓｕｒｅを設定し得る。また、１つのｓ−Ｍｅａｓｕｒｅのみが（ＮＧ−ＲＡＮによって）設定される場合、ＵＥは、ＳＣＧ  ＰＣｅｌｌ品質がその設定されたｓ−Ｍｅａｓｕｒｅを下回るとき、ＮＧ−ＲＡＮによって設定されたネイバー測定を実施するものとする。
提案３  ＥＮ−ＤＣセットアップの後に、ＮＧ−ＲＡＮがｓ−Ｍｅａｓｕｒｅを設定する場合、ＵＥは、ＳＣＧ  ＰＣｅｌｌ  ＲＳＲＰが設定されたｓ−Ｍｅａｓｕｒｅを下回る場合、ＮＧ−ＲＡＮによって設定されたネイバーＮＲ測定を実施するものとする。ＦＦＳ  ＮＧ−ＲＡＮによって設定されるＬＴＥ測定。
Ｐ１において提案されるように、ＥＵＴＲＡＮによって設定されたｓ−Ｍｅａｓｕｒｅしきい値は、ＥＵＴＲＡＮによって設定されたＮＲ測定をＵＥが実施するやり方に影響を及ぼさないので、Ｐ３は容易に拡張され得、その結果、ｓ−Ｍｅａｓｕｒｅ条件は、ＮＧ−ＲＡＮが設定した測定にとって重要であるにすぎず、ＥＵＴＲＡＮによって設定されたｓ−Ｍｅａｓｕｒｅは、ＥＵＴＲＡＮによって設定されたＮＲ測定のために適用可能でなくなる。
Ｐ１〜Ｐ３に基づくプロシージャは、ＬＴＥとＮＲとが異なる測定対象を設定したときに極めて明らかになる、すなわち、ＥＵＴＲＡＮによって設定された測定対象は常に測定され、ＮＧ−ＲＡＮによって設定された測定対象はｓ−Ｍｅａｓｕｒｅに依存し得ることに留意されたい。しかしながら、おそらく、ＥＵＴＲＡＮとＮＧ−ＲＡＮとによって同じ測定対象が設定される場合、とりわけ、異なる周波数ロケーションにおける異なるＲＳタイプが同じ測定対象において設定されるＮＲ測定対象の場合、何らかの議論が必要とされる。我々の考え方では、ＵＥは、両方の測定が以下を設定する場合、ＮＲ  ｍｅａｓＯｂｊｅｃｔに関連付けられた同じ測定が設定されたと考える。
−  同じＲＳタイプ、
−  セル測定のための同じ設定された量（トリガおよび報告）、
−  同じ設定されたビーム報告情報（または同じ測定された量）、
言い換えれば、ＵＥがＥＮ−ＤＣにあり、ＥＵＴＲＡＮ設定に基づいてＵＥが（１つまたは複数の）ＮＲ  ｍｅａｓＯｂｊｅｃｔに関連付けられた測定を実施しており、ＮＲ  ｓ−Ｍｅａｓｕｒｅが、同じ測定対象（たとえば、同じＡＲＦＣＮ）に対する測定を実施するようにＵＥをトリガするとき、ＵＥは、もしあれば、すなわち、追加のＲＳタイプ（たとえば、ＣＳＩ−ＲＳ測定がＥＵＴＲＡＮを介して設定可能でない）、セル測定のための異なる設定された量（トリガおよび報告）および異なる設定されたビーム報告情報（または同じ測定された量）に対する追加の測定を実施するものとする。
提案４  ＵＥが、ＥＵＴＲＡＮおよびＮＧ−ＲＡＮによって設定された同じＮＲ測定対象に対する測定を実施するＥＮ−ＤＣにあるときに、ＮＧ−ＲＡＮによって設定されたｓ−ｍｅａｓｕｒｅ条件が満たされる場合、ＵＥは、（もしあれば）ＮＧ−ＲＡＮによって設定された追加の測定、すなわち、追加のＲＳ（たとえば、ＣＳＩ−ＲＳベースの測定）、セル測定のための追加の測定量（トリガおよび報告）、追加のビーム測定された量を実施するものとする。
【０１２４】
３．結論
セクション２では以下の観測が行われた。
提案１  観測１  電子メール議論＃３２において、大部分の企業は、ネットワークが、設定可能なＲＳタイプ（ＳＳブロックまたはＣＳＩ−ＲＳ）を伴う単一のｓ−Ｍｅａｓｕｒｅのみを設定することができることを選好した。ＵＥは、ＰＣｅｌｌ  ＲＳＲＰが、この設定されたｓ−Ｍｅａｓｕｒｅしきい値を下回る場合、ネイバーセル測定を実施するものとする。マージされたＴＰは、それに従い、ｍｅａｓＣｏｎｆｉｇ中の単一のｓ−ＭｅａｓｕｒｅＣｏｎｆｉｇ  ＩＥを規定し、ネットワークは、測定量としてｓｓｂ−ｒｓｒｐまたはｃｓｉ−ｒｓｒｐのいずれかを設定することを選定するにすぎないことがある。
提案２  観測２  おそらく、ＵＥ挙動に関する同意の最も単純な解釈は、各独立して設定されたｓ−Ｍｅａｓｕｒｅ値が、各ＲＡＴ、ＮＧ−ＲＡＮおよびＥＵＴＲＡＮによって提供された各ｍｅａｓＣｏｎｆｉｇを制御することである。このため、ＲＡＮ２は、それが実際に機能するかどうかを議論するべきである。
提案３  観測３  ＥＵＴＲＡＮが、ハンドオーバに加えて、ＣＡおよび／またはＤＣをセットアップする目的で、測定を実施するようにＵＥを設定するとき、ＥＵＴＲＡＮは、ｓ−Ｍｅａｓｕｒｅをその最低値にセットするか、または単にｓ−Ｍｅａｓｕｒｅを設定しないかのいずれかを行う。言い換えれば、ＤＣ／ＣＡは、ｓ−Ｍｅａｓｕｒｅを極めて無用にする。
提案４  観測４  ＥＵＴＲＡＮが、ＥＮ−ＤＣの目的で、測定を実施するようにＵＥを設定するとき、ＥＵＴＲＡＮは、決してｓ−Ｍｅａｓｕｒｅを設定しないことがある。
セクション２における議論に基づいて、以下が提案された。
提案５  ＲＳタイプごとのｓ−Ｍｅａｓｕｒｅ設定について、ＲＲＭに関するＴＰ（Ｒ２−１７１３５９０）における解釈を保つ、すなわち、電子メール議論＃３２の概要（Ｒ２−１７１１９６３）に基づく。Ｒ２−１７１３５９０における厳密な明確な記述に関する検討が可能である。
提案６  ＵＥは、ｓ−Ｍｅａｓｕｒｅが設定されるか否かにかかわらず、ｍｅａｓＣｏｎｆｉｇを受信すると、ＥＵＴＲＡＮによって設定されたＮＲ測定を実施するものとする。
提案７  ＥＮ−ＤＣセットアップの後に、ＮＧ−ＲＡＮがｓ−Ｍｅａｓｕｒｅを設定する場合、ＵＥは、ＳＣＧ  ＰＣｅｌｌ  ＲＳＲＰが設定されたｓ−Ｍｅａｓｕｒｅを下回る場合、ＮＧ−ＲＡＮによって設定されたネイバーＮＲ測定を実施するものとする。ＦＦＳ  ＮＧ−ＲＡＮによって設定されるＬＴＥ測定。
提案８  ＵＥが、ＥＵＴＲＡＮおよびＮＧ−ＲＡＮによって設定された同じＮＲ測定対象に対する測定を実施するＥＮ−ＤＣにあるときに、ＮＧ−ＲＡＮによって設定されたｓ−ｍｅａｓｕｒｅ条件が満たされる場合、ＵＥは、（もしあれば）ＮＧ−ＲＡＮによって設定された追加の測定、すなわち、追加のＲＳ（たとえば、ＣＳＩ−ＲＳベースの測定）、セル測定のための追加の測定量（トリガおよび報告）、追加のビーム測定された量を実施するものとする。
【０１２５】
略語
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭＩＢ  マスタ情報ブロック
ＭＭＥ  モビリティ管理エンティティ
ＭＳＣ  モバイルスイッチングセンター
ＮＰＤＣＣＨ  狭帯域物理ダウンリンク制御チャネル
ＮＲ  新無線
ＯＣＮＧ  ＯＦＤＭＡチャネル雑音生成器
ＯＦＤＭ  直交周波数分割多重
ＯＦＤＭＡ  直交周波数分割多元接続
ＯＳＳ  運用サポートシステム
ＯＴＤＯＡ  観測到達時間差
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
【図１】
2021505027.tif 000009
【図２】
2021505027.tif 000010
【図３】
2021505027.tif 000011
【図４】
2021505027.tif 000012
【図５】
2021505027.tif 000013
【図６】
2021505027.tif 000014
【図７】
2021505027.tif 000015
【図８】
2021505027.tif 000016
【図９】
2021505027.tif 000017
【図１０】
2021505027.tif 000018
【図１１】
2021505027.tif 000019
【国際調査報告】
2021505027.tif 000020
2021505027.tif 000021
2021505027.tif 000022
2021505027.tif 000023